(57)【要約】【課題】本発明は、小型化を図るとともに、遊技領域の設計自由度を向上することができる球振り分け装置及びそれを備えた遊技機を提供することを目的とする。【解決手段】球振り分け装置２００は、遊技領域８ａを流下する遊技球を受け入れて左側と右側とに振り分ける振分部２０７と、振分部２０７で振り分けた遊技球を遊技盤８に近付く方向に規制するとともに、規制した遊技球を落下させる際に遊技盤８から離れる方向に弾いて遊技球のぶれを防止する第１及び第２球ぶれ防止部２１０，２１２とを有している。【選択図】図７
2014121486.tif 000002
【特許請求の範囲】
【請求項１】
発射された遊技球が流下する遊技領域を形成する遊技盤と、
前記遊技領域に設けられ、前記遊技領域を流下する遊技球が入賞する始動入賞口と、
前記遊技領域に設けられ、前記遊技領域を流下する遊技球が通過する始動ゲートと、
前記遊技領域に設けられ、前記遊技領域を流下する前記遊技球の進行方向を複数の異なる方向に振り分ける球振り分け装置と
を備えた遊技機であって、
前記球振り分け装置は、
前記遊技領域を流下する遊技球を受け入れて前記複数の異なる方向に振り分ける振分部と、
前記振分部で振り分けられた遊技球を前記遊技盤から離れる方向及び前記遊技盤に近付く方向のうちの一の方向に規制するとともに、規制した遊技球を落下させる際に前記離れる方向及び前記近付く方向のうちの他の方向に弾いて前記遊技球のぶれを防止する球ぶれ防止部と
を有すること
を特徴とする遊技機。
【請求項２】
前記球ぶれ防止部は、前記一の方向に突出して設けられ、振り分けた前記遊技球を前記一の方向に規制する球規制突出部と、前記他の方向に突出して設けられ、前記球規制突起部で規制した前記遊技球を前記他の方向に弾く球弾突出部とを有すること
を特徴とする請求項１記載の遊技機。
【請求項３】
前記球規制突出部は、前記遊技盤の盤面に平行な面内で所定の間隔で対向配置され、上流側から下流側に向かって連なる突起部を２つ有していること
を特徴とする請求項２記載の遊技機。
【請求項４】
前記球弾突出部は、前記２つの突起部の間であって前記２つ突起部の下流側端部の直下に配置されていること
を特徴とする請求項３記載の遊技機。
【請求項５】
前記球ぶれ防止部は、前記遊技球が振り分けられた方向から前記２つの突起部の連なる方向に、該遊技球の進行方向を変更する球進路変更部をさらに有すること
を特徴とする請求項３又は４に記載の遊技機。
【請求項６】
前記振分部の両側の一方に設けられ、前記振分部により振り分けられた前記遊技球を始動入賞口又は始動ゲートに誘導する第１誘導路と、
前記振分部の両側の他方に設けられ、前記振分部により振り分けられた前記遊技球を始動入賞口又は始動ゲートに誘導する第２誘導路と
をさらに有し、
前記球ぶれ防止部は、前記第１誘導路及び前記第２誘導路のそれぞれに、少なくとも一部が配置されていること
を特徴とする請求項２から５までのいずれか一項に記載の遊技機。
【請求項７】
前記球ぶれ防止部を通過した遊技球が前記始動入賞口に入賞しない確率よりも入賞する確率の方が高くなり、または、前記球ぶれ防止部を通過した遊技球が前記始動ゲートを通過しない確率よりも通過する確率の方が高くなるように、該遊技球の入賞又は通過を補助する入賞通過補助部をさらに有すること
を特徴とする請求項２から６までのいずれか一項に記載の遊技機。
【請求項８】
前記入賞通過補助部は、前記球ぶれ防止部から放出された遊技球が通過する通過経路の両端辺で前記一の方向に突出して対向配置され、前記始動入賞口又は前記始動ゲートに向かって連なる端辺側突出部と、前記端辺側突出部の間の前記通過経路内で前記他の方向に突出して配置され、前記始動入賞口又は前記始動ゲートに向かって連なる中央側突出部とを有すること
を特徴とする請求項７記載の遊技機。
【請求項９】
前記球弾突出部は、前記中央側突出部の上流側に設けられていること
を特徴とする請求項８記載の遊技機。
【発明の詳細な説明】
【技術分野】
【０００１】
本発明は、弾球遊技機（パチンコ遊技機）に代表される遊技機に関する。
【背景技術】
【０００２】
従来、遊技領域内に球振り分けユニットを配置しておき、遊技領域を流下する遊技球が流入口に流入すると、球振り分けユニットの内部で第１領域と第２領域とに遊技球を振り分ける先行技術が知られている（例えば、特許文献１参照）。
球振り分けユニットは振分部材を有しており、この振分部材は遊技球を第１領域に向けて導く状態と第２領域に向けて導く状態とに変化する。特に先行技術では、流入口から流入した遊技球の自重によって振分部材の状態（姿勢）を交互に変化させているため、複雑な電気的制御を用いることなく、複数の領域に対して交互に遊技球を振り分けることができる。
【０００３】
また、この球振り分けユニットは、第１領域、第２領域がそれぞれ第１始動口、第２始動口となっており、流入口に流入して球振り分けユニット内部で振り分けられた後の遊技球は、第１始動口センサ、第２始動口センサのいずれかを必ず通過して盤面の裏側へ回収される構造となっている。
【０００４】
このため、先行技術の球振り分けユニットを用いたパチンコ機では、球振り分けユニット内で第１始動口への入賞（交互振り分けによる入球）が発生すると第１抽選が実行されて第１図柄が変動し、また、球振り分けユニット内で第２始動口への入賞（交互振り分けによる入球）が発生すると第２抽選が実行されて第２図柄が変動する。このようなパチンコ機では、第１図柄による大当り抽選と第２図柄による大当り抽選とが偏りなく交互に行われるため、それぞれの記憶手段が持てる保留数（例えば各４個で合計８個）を最大限に活用して抽選による利益を遊技者に付与することができる。
【０００５】
遊技領域内に発射された遊技球は、球振り分けユニットにそれぞれ異なる速度で流入し、球振分ユニット内部で一定方向に進まずに、球振り分けユニットの内壁面に衝突したり、前後の遊技球に衝突したりして暴れてしまう。そこで、流入した遊技球の暴れを抑制するとともに整列させる誘導路を備えた振り分けユニット（球振り分け装置）が知られている（特許文献２参照）。
【０００６】
特許文献２には、流入口を通じて流入した遊技球を遊技盤の盤面に沿って左右いずれかの方向へ交互に振り分けた際に遊技球に与えられる左右方向への勢いを殺す整流誘導路を備えた球振り分け装置（球振り分けユニット）が開示されている。当該整流誘導路は、遊技盤の盤面より奥側へ延び、この奧の位置で下方へ屈曲された後に盤面の前面側へ折り返すようにして延びて形成されている。当該整流誘導路内の通過を通じて、遊技球の流下の態様は左右方向から上下方向へ整えられ、振り分け時に遊技球に与えられた左右方向への勢いが殺される。これにより、球振り分け装置から放出された遊技球の流下方向がほとんど下向きで安定し、左右方向に暴れにくくなる。
【先行技術文献】
【特許文献】
【０００７】
【特許文献１】特開２０１０−１０４５６４号公報（段落００４５−００５３、図３，図４，図５）
【特許文献２】特開２０１２−２２３３９９号公報（段落０１０６−０１１０、図１４）
【発明の概要】
【発明が解決しようとする課題】
【０００８】
特許文献２に開示された球振り分け装置に備えられた整流誘導路は、屈曲した構造を有しており、遊技球の通過領域として、遊技盤面より奥側へ延びる領域と、奥側から盤面側へ延びる領域とが必要になるため、最低でも遊技球２個分（遊技球の直径の２倍）の高さとなる。このように、整流誘導路を備えた球振り分け装置は、遊技球の暴れを抑制して整列することはできるものの、構造上の制限を受けてしまう。このため、従来の球振り分け装置は、遊技領域内を占める領域が広くなり、遊技機の設計自由度を低下させてしまうという問題を有している。
本発明の目的は、球振り分け装置の小型化を図るとともに、遊技領域の設計自由度を向上することができる遊技機を提供することにある。
【課題を解決するための手段】
【０００９】
上記目的を達成するために、本発明の一実施の形態による遊技機は、発射された遊技球が流下する遊技領域を形成する遊技盤と、前記遊技領域に設けられ、前記遊技領域を流下する遊技球が入賞する始動入賞口と、前記遊技領域に設けられ、前記遊技領域を流下する遊技球が通過する始動ゲートと、前記遊技領域に設けられ、前記遊技領域を流下する前記遊技球の進行方向を複数の異なる方向に振り分ける球振り分け装置とを備えた遊技機であって、前記球振り分け装置は、前記遊技領域を流下する遊技球を受け入れて前記複数の異なる方向に振り分ける振分部と、前記振分部で振り分けられた遊技球を前記遊技盤から離れる方向及び前記遊技盤に近付く方向のうちの一の方向に規制するとともに、規制した遊技球を落下させる際に前記離れる方向及び前記近付く方向のうちの他の方向に弾いて前記遊技球のぶれを防止する球ぶれ防止部とを有することを特徴とする。
【００１０】
また、前記球ぶれ防止部は、前記一の方向に突出して設けられ、振り分けた前記遊技球を前記一の方向に規制する球規制突出部と、前記他の方向に突出して設けられ、前記球規制突起部で規制した前記遊技球を前記他の方向に弾く球弾突出部とを有し得る。
また、前記球規制突出部は、前記遊技盤の盤面に平行な面内で所定の間隔で対向配置され、上流側から下流側に向かって連なる突起部を２つ有し得る。
また、前記球弾突出部は、前記２つの突起部の間であって前記２つ突起部の下流側端部の直下に配置され得る。
【００１１】
また、前記球ぶれ防止部は、前記遊技球が振り分けられた方向から前記２つの突起部の連なる方向に、該遊技球の進行方向を変更する球進路変更部をさらに有し得る。
また、上記一実施の形態による遊技機は、前記振分部の両側の一方に設けられ、前記振分部により振り分けられた前記遊技球を始動入賞口又は始動ゲートに誘導する第１誘導路と、前記振分部の両側の他方に設けられ、前記振分部により振り分けられた前記遊技球を始動入賞口又は始動ゲートに誘導する第２誘導路とをさらに有し、前記球ぶれ防止部は、前記第１誘導路及び前記第２誘導路のそれぞれに、少なくとも一部が配置され得る。
【００１２】
このような構成であれば、遊技機は、遊技球のぶれ（暴れ）を防止できる小型の球振り分け装置を有し得る。
また、上記一実施の形態による遊技機は、前記球ぶれ防止部を通過した遊技球が前記始動入賞口に入賞しない確率よりも入賞する確率の方が高くなり、または、前記球ぶれ防止部を通過した遊技球が前記始動ゲートを通過しない確率よりも通過する確率の方が高くなるように、該遊技球の入賞又は通過を補助する入賞通過補助部をさらに有し得る。
【００１３】
また、前記入賞補助部は、前記入賞通過補助部は、前記球ぶれ防止部から放出された遊技球が通過する通過経路の両端辺で前記一の方向に突出して対向配置され、前記始動入賞口又は前記始動ゲートに向かって連なる端辺側突出部と、前記端辺側突出部の間の前記通過経路内で前記他の方向に突出して配置され、前記始動入賞口又は前記始動ゲートに向かって連なる中央側突出部とを有し得る。
さらに、前記球弾突出部は、前記中央側突出部の上流側に設け得る。
このような構成であれば、遊技機の遊技領域の設計自由度の向上を図ることができる。
【発明の効果】
【００１４】
本発明によれば、遊技球の球振り分け装置の小型化を図ることができるとともに、遊技機の遊技領域の設計自由度が向上する。
【図面の簡単な説明】
【００１５】
【図１】本発明の一実施の形態によるパチンコ機１の概略構成を示す正面図である。
【図２】本発明の一実施の形態によるパチンコ機１の概略構成を示す背面図である。
【図３】本発明の一実施の形態によるパチンコ機１に備えられた遊技盤８の概略構成を示す正面図である。
【図４】本発明の一実施の形態によるパチンコ機１に備えられた遊技盤８の窓４内の右下位置の概略構成を示す正面図である。
【図５】本発明の一実施の形態による球振り分け装置２００の概略構成を説明する図であって、パチンコ機１から取り外して右上方から見た球振り分け装置２００並びに第１及び第２始動入賞口２６，２８の斜視図である。
【図６】本発明の一実施の形態による球振り分け装置２００などの正面図等示す図である。
【図７】本発明の一実施の形態による球振り分け装置２００に備えられた前飾り部品２０１をベース部品２０３から取り外して見た分解斜視図である。
【図８】本発明の一実施の形態による球振り分け装置２００を説明する図であって、図６の図中に示す仮想直線Ｃ−Ｃ、Ｄ−Ｄで切断した球振り分け装置２００の断面図である。
【図９】本発明の一実施の形態による球振り分け装置２００を説明する図であって、図６の図中に示す仮想直線Ａ−Ａ、Ｂ−Ｂ、Ｅ−Ｅで切断した球振り分け装置２００の断面図である。
【図１０】本発明の一実施の形態による球振り分け装置２００を説明する図であって、一対の可動片２８ｂを駆動する始動入賞口ソレノイド等を配置した状態の第１及び第２始動入賞口２６，２８及び球振り分け装置２００を示す図である。
【図１１】本発明の一実施の形態による球振り分け装置２００に流入した遊技球の軌道を模式的に示す図である。
【図１２】本発明の一実施の形態による球振り分け装置２００において回転体２０５の姿勢が保持された状態を示す図である。
【図１３】本発明の一実施の形態による球振り分け装置２００の動作を説明する図であって、遊技球が流入している状態の球振り分け装置２００等を示す図である。
【図１４】本発明の一実施の形態による球振り分け装置２００の動作を説明する図であって、遊技球が流入している状態の球振り分け装置２００等を示す図（その１）である。
【図１５】本発明の一実施の形態による球振り分け装置２００の動作を説明する図であって、遊技球が流入している状態の球振り分け装置２００等を示す図（その２）である。
【図１６】本発明の一実施の形態による球振り分け装置２００の動作を説明する図であって、遊技球が流入している状態の球振り分け装置２００等を示す図（その３）である。
【図１７】本発明の一実施の形態による球振り分け装置２００の動作を説明する図であって、遊技球が流入している状態の球振り分け装置２００等を示す図（その４）である。
【図１８】本発明の一実施の形態によるパチンコ機１の内部構成を示すブロック図である。
【図１９】本発明の一実施の形態によるパチンコ機１において規定されている当りの種別を示す図である。
【図２０】本発明の一実施の形態によるパチンコ機１を説明する図であって、主制御装置３００から演出制御装置４００に出力される制御コマンドの構成を示す図である。
【図２１】本発明の一実施の形態によるパチンコ機１における遊技制御処理の流れを示すフローチャートである。
【図２２】本発明の一実施の形態によるパチンコ機１における当り判定処理の流れを示すフローチャートである。
【図２３】本発明の一実施の形態の変形例１における球振り分け装置２００に備えられたベース部品の概略構成を示す図である。
【図２４】本発明の一実施の形態の変形例２における球振り分け装置２００に備えられたベース部品の概略構成を示す図である。
【図２５】本発明の一実施の形態の変形例３における球振り分け装置２００に備えられたベース部品の概略構成を示す図である。
【発明を実施するための形態】
【００１６】
本発明の一実施の形態による遊技機について図１から図２５を用いて説明する。まず、図１から図４を用いて本実施形態による遊技機についてパチンコ遊技機を例にとって説明する。図１は、パチンコ遊技機（以下、「パチンコ機」と略称する。）１の正面図である。また図２は、パチンコ機１の背面図である。パチンコ機１では、遊技媒体として遊技球が用いられる。遊技者は、遊技場運営者から遊技球を借り受けてパチンコ機１による遊技を行う。なお、パチンコ機１における遊技において、遊技球はその１個１個が遊技価値を有した媒体であり、遊技の成果として遊技者が享受する特典（利益）は、例えば遊技者が獲得した遊技球の数に基づいて遊技価値に換算することができる。以下、図１及び図２を参照して遊技機の全体構成について説明する。
【００１７】
（遊技機の全体構成）
図１に示すように、パチンコ機１は、その本体として主に外枠アセンブリ２、ガラス枠ユニット４、受け皿ユニット６及びプラ枠アセンブリ７（遊技機枠）を備えている。このうち外枠アセンブリ２は、木材を縦長の矩形状に組み合わせた構造体であり、この外枠アセンブリ２は、遊技場内の島設備（図示されていない）に対してねじ等の締結具を用いて固定される。
その他のガラス枠ユニット４や受け皿ユニット６、プラ枠アセンブリ７は外枠アセンブリ２を介して島設備に取り付けられ、これらはそれぞれ図示しないヒンジ機構を介して開閉式に動作する。図示しないヒンジ機構の開閉軸線は、パチンコ機１の正面からみて左側端部に沿ってパチンコ機１の高さ方向に延びている。
【００１８】
図１中の正面からみてプラ枠アセンブリ７の右側縁部（図２では左側縁部）には、その内側に統一錠ユニット９（図２参照）が設けられている。また、これに対応してガラス枠ユニット４及び外枠アセンブリ２の右側縁部（裏側）にも、それぞれ図示しない施錠具が設けられている。図１に示されるように、外枠アセンブリ２に対してガラス枠ユニット４及びプラ枠アセンブリ７が閉じた状態で、その裏側にある統一錠ユニット９は施錠具とともにガラス枠ユニット４及びプラ枠アセンブリ７の開放を不能にしている。
【００１９】
また、受け皿ユニット６の右側縁部には鍵穴付きのシリンダ錠６ａが設けられている。例えば、遊技場の管理者が専用キーを鍵穴に差し込んでシリンダ錠６ａを時計回りに捻ると、統一錠ユニット９が作動してプラ枠アセンブリ７とともにガラス枠ユニット４及び受け皿ユニット６の開放が可能な状態となる。これら全体を外枠アセンブリ２から前面側へ開放する（扉のように動かす）と、前面側にてパチンコ機１の裏側が露出することになる。
【００２０】
一方、シリンダ錠６ａを反時計回りに捻ると、プラ枠アセンブリ７は施錠されたままでガラス枠ユニット４の施錠だけが解除され、ガラス枠ユニット４が開放可能となる。ガラス枠ユニット４を前面側へ開放すると遊技盤８が直に露出し、この状態で遊技場の管理者が盤面内での球詰まり等の障害を取り除くことができる。またガラス枠ユニット４を開放すると、受け皿ユニット６のロック機構（図示していない）が露出する。この状態でロック機構を解除すると、受け皿ユニット６をプラ枠アセンブリ７に対して前面側へ開放する
ことができる。
【００２１】
またパチンコ機１は、遊技用ユニットとして遊技盤８を備えている。遊技盤８は、ガラス枠ユニット４の背後（内側）でプラ枠アセンブリ７に支持されている。遊技盤８は、例えばガラス枠ユニット４を前面側へ開放した状態でプラ枠アセンブリ７に対して着脱可能である。ガラス枠ユニット４には、その中央部に縦長円形状の窓４ａが形成されており、この窓４ａ内にガラスユニット（参照符号なし）が取り付けられている。ガラスユニットは、例えば窓４ａの形状に合わせてカットされた２枚の透明板（ガラス板）を組み合わせて形成されている。ガラスユニットは、ガラス枠ユニット４の裏側に図示しないヒンジ機構を介して開閉式に取り付けられている。遊技盤８の前面には遊技領域８ａ（盤面）が形成されており、この遊技領域８ａは窓４ａを通じて前面側から遊技者に視認可能である。ガラス枠ユニット４が閉じられると、ガラスユニットの内面と遊技盤面との間に遊技球が流下できる空間が形成される。
【００２２】
受け皿ユニット６は、全体的に外枠アセンブリ２から前面側へ突出した形状をなしており、その上面に上皿６ｂを有している。この上皿６ｂには、遊技者に貸し出された遊技球（貸球）や入賞により獲得した遊技球（賞球）を貯留することができる。また受け皿ユニット６は、上皿６ｂの下段位置に下皿６ｃを有している。この下皿６ｃには、上皿６ｂが満杯の状態でさらに払い出された遊技球が貯留される。なお本実施形態のパチンコ機１はいわゆるＣＲ機（ＣＲユニットに接続する機種）であり、遊技者が借り受けた遊技球は、賞球とは別に裏側の払出装置ユニット１７２（図２参照）から受け皿ユニット６（上皿６ｂ又は下皿６ｃ）に払い出される。
【００２３】
受け皿ユニット６の上面には貸出操作部１４が設けられており、この貸出操作部１４には、球貸ボタン１０及び返却ボタン１２が配置されている。図示しないＣＲユニットに有価媒体（例えば磁気記録媒体、記憶ＩＣ内蔵媒体等）を投入した状態で球貸ボタン１０を遊技者が操作すると、予め決められた度数単位（例えば５度数）に対応する個数（例えば１２５個）分の遊技球が貸し出される。このため、貸出操作部１４の上面には度数表示部（図示されていない）が配置されており、この度数表示部には、ＣＲユニットに投入されている有価媒体の残存度数が表示される。なお遊技者は、返却ボタン１２を操作することで、度数が残存している有価媒体の返却を受けることができる。本実施形態ではＣＲ機を例に挙げているが、パチンコ機１はＣＲ機とは別の現金機（ＣＲユニットに接続されない機種）であってもよい。
【００２４】
また、受け皿ユニット６の前面には、上段位置にある上皿６ｂの手前に上皿球抜きレバー６ｄが設置されており、下皿６ｃの手前でその中央部には下皿球抜きボタン６ｅが設置されている。遊技者は上皿球抜きレバー６ｄを例えば左方向へスライドさせることで、上皿６ｂに貯留された遊技球を下皿６ｃへ流下させることができる。また遊技者は、下皿球抜きボタン６ｅを例えば押し込み操作することで、下皿６ｃに貯留された遊技球を下方へ落下させて排出することができる。排出された遊技球は、例えば図示しない球受け箱等で受け止められる。
【００２５】
受け皿ユニット６の右下部には、グリップユニット１６が設置されている。遊技者はこのグリップユニット１６を操作することで発射制御基板セット１７４（図２参照）を作動させ、遊技領域８ａに向けて遊技球を発射する（打ち込む）ことができる。発射された遊技球は、遊技盤８の左側縁部に沿って上昇し、図示しない外バンドに案内されて遊技領域８ａ内に放り込まれる。遊技領域８ａ内には多数の障害釘や風車（図中参照符号なし）等が配置されており、放り込まれた遊技球は障害釘や風車により誘導・案内されながら遊技領域８ａ内を流下する。なお、遊技領域８ａ内の構成については、後程図３を用いて詳細に説明する。
【００２６】
（枠前面の構成）
ガラス枠ユニット４には、演出用の構成要素としてガラス枠トップランプ４６，４８やガラス枠サイドランプ５０がガラスユニット（参照符号なし）を取り巻くようにして複数の箇所に設置されている。また、受け皿ユニット６には受け皿ランプ５２が設置されており、この受け皿ランプ５２とガラス枠トップランプ４６，４８及びガラス枠サイドランプ５０とは、外見上、パチンコ機１の前面において一体的につながっているかのようにデザインされている。
【００２７】
上述した各種ランプ４６〜５２は、例えば内蔵するＬＥＤの発光（点灯や点滅、輝度階調の変化、色調の変化等）により演出を実行する。またガラス枠ユニット４内の上部には、左右一対のガラス枠上スピーカ５４とその中央にガラス枠中スピーカ５５が内蔵されており、そして受け皿ユニット６には、下皿６ｃの右側に受け皿スピーカ５６が内蔵されている。効果音やＢＧＭ、音声等（音響全般）による演出は、スピーカ５４，５５，５６を介して実行される。
【００２８】
また受け皿ユニット６の中央には、上皿６ｂの手前位置に演出切替ボタン４５が設置されている。遊技者は、この演出切替ボタン４５を操作することで演出内容（例えば液晶表示器４２に表示される背景画面）を切り替えたり、例えば図柄の変動中や大当りの確定表示中、あるいは大当り遊技中に何らかの演出（各種の予告演出、確変昇格演出等）を発生させたりすることができる。
【００２９】
（裏側の構成）
図２に示すように、パチンコ機１の裏側には、電源制御ユニット１６２、主制御基板ユニット１７０、払出装置ユニット１７２、流路ユニット１７３、発射制御基板セット１７４、払出制御基板ユニット１７６、裏カバーユニット１７８等が設置されている。この他にパチンコ機１の裏側には、パチンコ機１の電源系統や制御系統を構成する各種の電子機器類（図示しない制御コンピュータを含む）、外部端子板１６０、電源コード（電源プラグ）１６４、アース線（アース端子）１６６、図示しない接続配線等が設置されている。なお、電子機器類については別のブロック図（図１８）に基づいてさらに後述する。
【００３０】
払出装置ユニット１７２は、例えば賞球タンク１７２ａ及び賞球ケース（参照符号なし）を有しており、このうち賞球タンク１７２ａはプラ枠アセンブリ７の上縁部（裏側）に設置された状態で、図示しない補給経路から補給された遊技球を蓄えることができる。賞球タンク１７２ａに蓄えられた遊技球は、図示しない上側賞球樋を通じて賞球ケースに導かれる。流路ユニット１７３は、払出装置ユニット１７２から送り出された遊技球を前面側の受け皿ユニット６（図１参照）に向けて案内する。
【００３１】
また、外部端子板１６０は、パチンコ機１を外部の電子機器（例えばデータ表示装置、ホールコンピュータ等）に接続するためのインタフェースである。外部端子板１６０からは、パチンコ機１の遊技進行状態やメンテナンス状態等を表す各種の外部情報信号（例えば賞球情報、扉開放情報、図柄確定回数情報、大当り情報、始動口情報等）が外部の電子機器に向けて出力されるようになっている。
電源コード１６４は、例えば遊技場の島設備に設置された電源装置（例えばＡＣ２４Ｖ）に接続されることで、パチンコ機１の動作に必要な電源（電力）を確保するようになっている。またアース線１６６は、同じく島設備に設置されたアース端子に接続されることで、パチンコ機１のアース（接地）を確保するようになっている。
【００３２】
（盤面の構成）
図３は、遊技盤８を単独で示した正面図である。遊技領域８ａ内には、始動ゲート２０、普通入賞口２２，２４、第１始動入賞口２６、第２始動入賞口２８、可変入賞装置３０、球振り分け装置２００等が設置されている。遊技領域８ａ内に放り込まれた遊技球は、その流下の過程で無作為に始動ゲート２０を通過したり、球振り分け装置２００を通過したり、あるいは、普通入賞口２２，２４や第１始動入賞口２６、第２始動入賞口２８に入賞（入球）したりする。始動ゲート２０を通過した遊技球は続けて遊技領域８ａ内を流下するが、入賞した遊技球は遊技板に形成された貫通穴（不図示）を通じて遊技盤８の裏側へ回収される。
【００３３】
第２始動入賞口２８は、所定の条件が満たされた場合（普通図柄が当りの態様で停止表示された場合）に作動し、それに伴って入球口２８ａへの入賞を容易化する。第２始動入賞口２８は、例えば左右一対の可動片２８ｂを有している。一対の可動片２８ｂは、例えば図示しないソレノイドを用いたリンク機構の働きにより、盤面に沿って左右方向に往復動作する。左右一対の可動片２８ｂは先端を上に向けた状態で閉位置（閉状態）にあり、このとき入球口２８ａへの入賞は容易化されていない（遊技球が流入できる開口幅が狭められた状態）となっている。左右一対の可動片２８ｂの直上には、不図示の入賞補助部の流出口（詳細は後述）がほぼ一直線上に配置されている。さらに、閉位置にある場合の左右一対の可動片２８ｂ間の幅は、同方向に測った当該流出口の幅とほぼ同じ長さである。このため、左右一対の可動片２８ｂが閉位置にあっても、当該流出口から流出した遊技球は第２始動入賞口２８に設けられた入球口２８ａへ入賞することができる。このように、一対の可動片２８ｂが閉位置にある場合には、入賞は容易化されていないものの、入賞の発生自体は可能な状態にある。
【００３４】
一方、第２始動入賞口２８が作動すると、図２に示すように、左右の可動片２８ｂはそれぞれ閉位置から開放位置に向けて変位（拡開）し、入球口２８ａの開口幅を左右に拡大する。この間に第２始動入賞口２８は遊技球の流入が容易化された状態となり、非作動時と比較して入球口２８ａへの入賞を容易に発生させる。なお、非作動時又は作動時のいずれであるかに関わらず、遊技盤８に設置されている障害釘の配列（ゲージ）は、基本的に第２始動入賞口２８に向けて遊技球の流下を案内しやすい態様となっているが、必ず遊技球が第２始動入賞口２８に流入するというわけではなく、あくまで流入は無作為に発生する。
ここで、球放出路４０ｆの下方部分であって、第２始動入賞口２８及び第１始動入賞口２６の上方部分には、球振り分け装置２００が配置されている。なお、球振り分け装置２００の構造の詳細及び動作については後述する。
【００３５】
可変入賞装置３０は、規定の条件が満たされた場合（特別図柄が非当選以外の態様で停止表示された場合）に作動し、大入賞口（参照符号なし）への入賞を可能にする。可変入賞装置３０は、演出ユニット４０の上端部の左側に配置された装置であり（いわゆる上方アタッカー）、例えば１つの開閉部材３０ａを有している。この開閉部材３０ａは、例えば図示しないソレノイドを用いたリンク機構の働きにより、閉位置から開放位置に向けて変位する。図示のように先端が上を向いた状態（演出ユニット４０と連続している状態）で開閉部材３０ａは閉位置（閉止状態）にあり、このとき大入賞口への入賞は常に不能（大入賞口は閉塞中）である。可変入賞装置３０が作動すると、開閉部材３０ａがその下端縁部分をヒンジとして左方へ倒れ込むようにして変位し、大入賞口を開放する（開放状態）。この間に可変入賞装置３０は遊技球の流入が不能ではない状態となり、大入賞口への入賞という事象を発生させることができる。なお、このとき開閉部材３０ａは大入賞口への遊技球の流入を案内する部材としても機能する。大入賞口に入賞した遊技球は、カウントスイッチ８４を通過して入賞を検出された後、回収通路（参照符号なし）を通じて遊技盤８の裏側へ回収される。
【００３６】
また遊技盤８には、その中央位置から右側部分にかけて演出ユニット４０が設置されている。演出ユニット４０は、上縁部４０ａが遊技球の流下方向を変化させる案内部材として機能する他、その内側に各種の装飾部品４０ｂ，４０ｃを備えている。装飾部品４０ｂ，４０ｃはその立体的な造形により遊技盤８の装飾性を高めるとともに、例えば内蔵された発光器（ＬＥＤ等）により透過光を発することで、演出的な動作をすることができる。また演出ユニット４０の内側には液晶表示器４２が設置されており、この液晶表示器４２には特別図柄に対応させた演出図柄をはじめ、各種の演出画像が表示される。このように遊技盤８は、その盤面の構成（図示しないセル板のデザイン）や演出ユニット４０の装飾性に基づいて、遊技者にパチンコ機１の特徴を印象付けている。なお、遊技盤８にベニヤ板でなく透明板（例えばアクリル板）を用いる場合、透明板の前面や背後に配置された各種の装飾体（可動体や発光体を含む）による装飾性が付加される。
【００３７】
演出ユニット４０の左側縁部には球案内通路４０ｄが形成されており、その下縁部には転動ステージ４０ｅが形成されている。球案内通路４０ｄは遊技領域８ａ内にて左斜め上方に開口しており、遊技領域８ａ内を流下する遊技球が無作為に球案内通路４０ｄ内に流入すると、その内部を通過して転動ステージ４０ｅ上に放出される。転動ステージ４０ｅの上面は滑らかな湾曲面を有しており、ここでは遊技球が左右方向に転動自在である。転動ステージ４０ｅ上で転動した遊技球は、やがて下方の遊技領域８ａ内に流下する。転動ステージ４０ｅの中央位置には球放出路４０ｆが形成されており、このとき転動ステージ４０ｅから球放出路４０ｆに流下した遊技球は、その真下にある球振り分け装置２００に流入しやすくなる。その他に演出ユニット４０には、演出用の可動体（例えばキャラクターのフィギュア、装飾物等）とともに駆動源（例えばモータ、ソレノイド等）が付属されていてもよい。演出用の可動体は、液晶表示器４２による画像を用いた演出や発光器による演出に加えて、有形物の動作を伴う演出を実行することができる。これら可動体を用いた演出により、二次元の画像を用いた演出とは別の訴求力を発揮することができる。
【００３８】
その他、遊技領域８ａ内にはアウト口３２が形成されており、入賞しなかった遊技球は最終的にアウト口３２を通じて遊技盤８の裏側へ回収される。また、第１始動入賞口２６や第２始動入賞口２８、可変入賞装置３０に入賞した遊技球も含めて、遊技領域８ａ内に打ち込まれた全ての遊技球は遊技盤８の裏側へ回収される。回収された遊技球は、図示しないアウト通路アセンブリを通じてパチンコ機１の裏側から枠外へ排出され、さらに図示しない島設備の補給経路に合流する。
【００３９】
また遊技盤８には、例えば窓４ａ（図１参照）内の右下位置に普通図柄表示装置３３と普通図柄作動記憶ランプ３３ａが設けられている他、第１特別図柄表示装置３４、第２特別図柄表示装置３５、第１特別図柄作動記憶ランプ３４ａ、第２特別図柄作動記憶ランプ３５ａ及び遊技状態表示装置３８が設けられている。このうち普通図柄表示装置３３は、例えば２つのランプ（ＬＥＤ）を交互に点灯させて普通図柄を変動表示し、この変動表示後のランプの点灯又は消灯により普通図柄を停止表示する。普通図柄作動記憶ランプ３３ａは、例えば２つのランプ（ＬＥＤ）の消灯又は点灯、点滅の組み合わせによって０〜４個の記憶数を表示する。
【００４０】
図４は、遊技盤８の窓４ａ内の右下位置（普通図柄表示装置３３等の近傍）を拡大して示す正面図である。図４に示すように、第１特別図柄表示装置３４及び第２特別図柄表示装置３５は、例えばそれぞれ７セグメントＬＥＤ（ドット付き）により特別図柄の変動状態と停止状態とを表示することができる。また、第１特別図柄作動記憶ランプ３４ａ及び第２特別図柄作動記憶ランプ３５ａは、例えばそれぞれ２つのランプ（ＬＥＤ）の消灯又は点灯、点滅の組み合わせで構成される表示態様により、それぞれ０〜４個の記憶数を表示する。例えば、２つのランプをともに消灯させた表示態様では記憶数０個を表示し、１つのランプを点灯させた表示態様では記憶数１個を表示し、同じ１つのランプを点滅させた表示態様では記憶数２個を表示し、１つのランプの点滅に加えてもう１つのランプを点灯させた表示態様では記憶数３個を表示し、２つのランプをともに点滅させた表示態様では記憶数４個を表示する、といった具合である。
【００４１】
第１特別図柄作動記憶ランプ３４ａは、第１始動入賞口２６に遊技球が流入するごとに、入賞が発生したことを記憶（第１始動情報が増加したことを記憶）する意味で１個ずつ増加後の表示態様へと変化していき（最大４個まで）、その入賞を契機として特別図柄の変動が開始されるごとに１個ずつ減少後の表示態様へと変化していく。また第２特別図柄作動記憶ランプ３５ａは、第２始動入賞口２８（入球口２８ａ）に遊技球が流入するごとに、入賞が発生したことを記憶（第２始動情報が増加したことを記憶）する意味で１個ずつ増加後の表示態様へと変化し（最大４個まで）、その入賞を契機として特別図柄の変動が開始されるごとに１個ずつ減少後の表示態様へと変化する。なお本実施形態では、第１特別図柄作動記憶ランプ３４ａが未点灯（記憶数が０個）の場合、第１特別図柄が既に変動開始可能な状態（停止表示時）で第１始動入賞口２６に遊技球が流入しても表示態様は変化しない。また第２特別図柄作動記憶ランプ３５ａが未点灯（記憶数が０個）の場合、第２特別図柄が既に変動開始可能な状態（停止表示時）で第２始動入賞口２８に遊技球が流入しても表示態様は変化しない。すなわち、各特別図柄作動記憶ランプ３４ａ，３５ａの表示態様により表される記憶数（最大４個）は、その時点で未だ第１特別図柄又は第２特別図柄の変動が開始されていない入賞の回数を表している。
【００４２】
また遊技状態表示装置３８には、例えば大当り種別表示ランプ３８ａ，３８ｂ、確率変動状態表示ランプ３８ｃ、時短状態表示ランプ３８ｄにそれぞれ対応する４つのＬＥＤが含まれている。なお本実施形態では、上述した普通図柄表示装置３３や普通図柄作動記憶ランプ３３ａ、第１特別図柄表示装置３４、第２特別図柄表示装置３５、第１特別図柄作動記憶ランプ３４ａ、第２特別図柄作動記憶ランプ３５ａ及び遊技状態表示装置３８が１枚の統合表示基板８９に実装された状態で遊技盤８に取り付けられている。
【００４３】
（球振り分け装置）
次に、本実施形態による遊技機１に備えられた球振り分け装置について図５から図１７を用いて説明する。球振り分け装置２００は、発射された遊技球が流下する遊技領域８ａを形成する遊技盤８を備えたパチンコ機１に備えられ、遊技領域８ａを流下する遊技球の進行方向を複数の異なる方向（本実施形態では、左右方向）に振り分け、振り分けた遊技球を第１及び第２始動入賞口２６，２８や始動ゲート２０に導くようになっている。本実施形態における球振り分け装置２００は、遊技状態（通常状態、確変状態、時短状態など）にかかわらず第１始動入賞口２６での入賞及び第２始動入賞口２８での入賞が交互に発生することを促進する装置である。なお、以下、「左側」及び「右側」は、パチンコ機１の実使用時における遊技者側から見て左側及び右側をそれぞれ意味する。
【００４４】
図５から図１０は、球振り分け装置２００や第１及び第２始動入賞口２６，２８などの概略構成を説明する図である。図５は、パチンコ機１から取り外して右上方から見た球振り分け装置２００並びに第１及び第２始動入賞口２６，２８の斜視図である。図６は、球振り分け装置２００などの正面図等を示し、図６（ａ）は、球振り分け装置２００並びに第１及び第２始動入賞口２６，２８の正面図であり、図６（ｂ）は、球振り分け装置２００の平面図であり、図６（ｃ）は、球振り分け装置２００及び第２始動入賞口２８の右側面図である。
【００４５】
図５に示すように、球振り分け装置２００は、互いに並列して配置された第１始動入賞口２６及び第２始動入賞口２８の直上に設けられている。球振り分け装置２００は、遊技盤８の盤面に取り付けられて当該盤面の一部を装飾するベース部品２０３と、ベース部品２０３の正面側（パチンコ機１の実使用時における遊技者側）に配置され、ベース部品２０３とともに球振り分け装置２００内での遊技球の通過経路を形成する前飾り部品２０１とを有している。なお、以下、「遊技者側」は、パチンコ機１の実使用時における遊技者側を意味する。前飾り部品２０１及びベース部品２０３が球振り分け装置２００の本体部分を主に構成している。
【００４６】
前飾り部品２０１は、例えば透明樹脂材料で形成されており、球振り分け装置２００内部での遊技球の視認性が確保されている。前飾り部品２０１は、対向部２０１ａと、第１壁部２０１ｂと、第２壁部２０１ｃとを有している。前飾り部品２０１を正面側から見て、第１壁部２０１ｂは前飾り部品２０１の中央よりも左側に配置され、第２壁部２０１ｃは当該中央よりも右側に配置されている。対向部２０１ａは、ベース部品２０３に対向配置され、所定の外周形状に形成された平板形状を有している。第１壁部２０１ｂは、対向部２０１ａの、ベース部品２０３と対向する対向面から突出して対向部２０１ａと一体的に形成されている。
【００４７】
第１壁部２０１ｂは、対向部２０１ａの左側の外周囲の一部の形状に倣って当該一部の近傍に配置されている。第２壁部２０１ｃは、対向部２０１ａの、ベース部品２０３と対向する対向面から突出して対向部２０１ａと一体的に形成されている。第２壁部２０１ｃは、対向部２０１ａの右側の外周囲の一部の形状に倣って当該一部の近傍に配置されている。第１壁部２０１ｂ及び第２壁部２０１ｃは、球振り分け装置２００の頂部に後述の流入口が配置されるように当該頂部において、遊技球の直径よりも長い間隙を有するように対向配置されている。第１及び第２壁部２０１ｂ，２０１ｃは、当該頂部から下方に向かって段差を有する末広の形状に形成されている。
【００４８】
また、球振り分け装置２００は、遊技領域８ａ（図１参照）を流下した遊技球が流入する流入口２０２と、流入口２０２に流入した遊技球を振り分けた後に放出する第１放出口及び第２放出口２１８，２２０（図５では不図示、詳細は後述）とを有している。流入口２０２は、前飾り部品２０１をベース部品２０３に取り付けると、球振り分け装置２００の頂部において対向部２０１ａ、第１壁部２０１ｂ、ベース部品２０３及び第２壁部２０１ｃによって画定されて形成される開口である。流入口２０２は、当該頂部において上向きに、例えば長方形状に開口して設けられている。流入口２０２の短辺の長さは遊技球の直径よりも長くなっている。これにより、遊技領域８ａを流下した遊技球は流入口２０２を通って球振り分け装置２００の内部に進入できるようになっている。
【００４９】
第１始動入賞口２６及び第２始動入賞口２８の正面側には、第１始動入賞口２６及び第２始動入賞口２８の下部を覆って配置された装飾部材２５０が設けられている。装飾部材２５０のベース部品２０３に対向する対向面には、入球口２６ａに入球した遊技球を受ける球受け部２６ｃ（詳細は後述）と、入球口２８ａに入球した遊技球を受ける球受け部２８ｄ（詳細は後述）とが、ベース部品２０３側に向かって突出して形成されている。第１始動入賞口２６側であって装飾部材２５０の上辺には、左右一対の可動片２８ｂの先端側の形状を模擬した模擬装飾部２５０ａが形成されている。模擬装飾部２５０ａは、球受け部２６ｃの前面側に球受け部２６ｃと一体的に形成されている。
【００５０】
図６（ａ）に示すように、ベース部品２０３は、所定の外周形状に形成された平板形状を有している。第１及び第２始動入賞口２６，２８はベース部品２０３上に設けられている。ベース部品２０３は、互いに並んで配置された第１及び第２始動入賞口２６，２８を十分に収容できるだけの大きさに形成されている。図６（ｂ）及び図６（ｃ）に示すように、ベース部品２０３は、背面（前飾り部品２０１の取り付けられた被取り付け面の裏面）の左上及び右下から突出して形成された位置決め突起２０３ａ１，２０３ａ２を有している。位置決め突起２０３ａ１，２０３ａ２は、ベース部品２０３に一体的に形成されている。また、ベース部品２０３の背面側には、後述する回転体２０５の駆動機構２６４（図６では不図示、詳細は後述）を収容する収容部２６０、第２始動入賞口スイッチ１５０ｂ及び始動入賞口ソレノイド５１０（ともに図６では不図示、詳細は後述）などが配置されている。ベース部品２０３は、遊技盤８（図５及び図６では不図示）の板材（例えばベニヤ板、透明樹脂板）に設けられた穴部に収容部２６０、第２始動入賞口スイッチ及び始動入賞口ソレノイド等を挿入するとともに、当該穴部の右側及び左下に設けられた位置決め穴に位置決め突起２０３ａ１，２０３ａ２を嵌め込んだ状態で当該盤面に取り付けられる。さらに、ベース部品２０３は、外周囲の４箇所に設けられた貫通孔２０３ｂ１，２０３ｂ２，２０３ｂ３，２０３ｂ４を用いて当該盤面にねじ止めされて固定される。ベース部品２０３は、遊技盤８の盤面に取り付けられると、その大部分が当該盤面に沿って平板状に拡がって配置される。
【００５１】
図６（ａ）及び図６（ｃ）に示すように、球振り分け装置２００内の下流側であって第２始動入賞口２８の直上には、第２入賞補助部２１６が設けられている。また、球振り分け装置２００内の下流側であって第１始動入賞口２６の直上には、第１入賞補助部２１４（図６（ｃ）では不図示）が設けられている。第１及び第２入賞補助部２１４，２１６は、球振り分け装置２００において振り分けられた遊技球が第１及び第２始動入賞口２６，２８に入賞しない確率よりも入賞する確率の方が高くなるように、当該遊技球の入賞を補助するようになっている。第１及び第２入賞補助部２１４，２１６の詳細な構成については後述する。
【００５２】
第１入賞補助部２１４の下流には、第１入賞補助部２１４を通過した遊技球が流出される第１流出口２２２が設けられている。第２入賞補助部２１６の下流には、第２入賞補助部２１６を通過した遊技球が流出される第２流出口２２４が設けられている。第１流出口２２２及び第２流出口２２４は、前飾り部品２０１をベース部品２０３に取り付けると下向きに開口して設けられる。第１流出口２２２は、第１始動入賞口２６の入球口２６ａとほぼ同じ広さの開口面積を有している。第１流出口２２２は、第１流出口２２２の開口が入球口２６ａの開口に対してほぼ一直線上に配置されるように、第１始動入賞口２６の直上に設けられている。これにより、球振り分け装置２００において振り分けられて第１流出口２２２から流出した遊技球は、第１始動入賞口２６に入賞しやすくなる。一方、第２流出口２２４は、第２始動入賞口２８の左右一対の可動片２８ｂが閉位置にある場合の入球口２８ａとほぼ同じ広さの開口面積を有している。第２流出口２２４は、第２流出口２２４の開口が左右一対の可動片２８ｂが閉位置にある場合の入球口２８ａの開口に対してほぼ一直線上に配置されるように、第２始動入賞口２８の直上に設けられている。これにより、球振り分け装置２００において振り分けられて第２流出口２２４から流出した遊技球は、第２始動入賞口２８の可動片２８ｂが閉位置にあっても入賞できるようになっている。
【００５３】
次に、球振り分け装置２００の内部構成について図７から図９を用いて説明する。図７は、前飾り部品２０１をベース部品２０３から取り外して見た分解斜視図である。図７（ａ）は、前飾り部品２０１を裏面側（ベース部品２０３と対向する対向面側）から見た分解斜視図であり、図７（ｂ）は、ベース部品２０３を正面側から見た分解斜視図である。図８（ａ）は、図６（ｃ）の図中に示す仮想直線Ｄ−Ｄで切断した切断面を示し、図８（ｂ）は、図６（ｃ）の図中に示す仮想直線Ｃ−Ｃで切断した切断面を示している。図９（ａ）は、図６（ａ）の図中に示す仮想直線Ａ−Ａで切断した切断面を示し、図９（ｂ）は、図６（ａ）の図中に示す仮想直線Ｂ−Ｂで切断した切断面を示し、図９（ｃ）は、図６（ｂ）の図中に示す仮想直線Ｅ−Ｅで切断した切断面を示している。
【００５４】
図７（ａ）、図８（ａ）及び図８（ｂ）に示すように、球振り分け装置２００は、遊技領域８ａ（図３参照）に設けられ、遊技領域８ａを流下する遊技球を受け入れて複数の異なる方向に振り分ける振分部２０７を有している。本実施形態では、振分部２０７は、複数の異なる方向として例えば遊技球を左右方向に振り分けるようになっている。また、振分部２０７は、遊技領域８ａを流下する遊技球を第１始動入賞口２６側又は第２始動入賞口２８側に振り分けるようになっている。
【００５５】
球振り分け装置２００は、振分部２０７の両側の一方に設けられ、振分部２０７により例えば左側に振り分けられた遊技球を第１及び第２始動入賞口２６，２８又は始動ゲート２０に誘導する第１誘導路２０８と、振分部２０７の両側の他方に設けられ、振分部２０７により例えば右側に振り分けられた遊技球を第１及び第２始動入賞口２６，２８又は始動ゲート２０に誘導する第２誘導路２０９とを有している。前飾り部品２０１が取り付けられるベース部品２０３の被取り付け面（正面）側からベース部品２０３を見て、第１誘導路２０８は振分部２０７の左側に配置され、第２誘導路２０９は振分部２０７の右側に配置されている。本実施形態では、第１誘導路２０８は左側に振り分けられた遊技球を第１始動入賞口２６に誘導し、第２誘導路２０９は振分部２０７により右側に振り分けられた遊技球を第２始動入賞口２８に誘導するようになっている。
【００５６】
第１誘導路２０８の下流側には、球振り分け装置２００で振り分けられて第１誘導路２０８に誘導された遊技球が放出される第１放出口２１８が設けられている。第２誘導路２０９の下流側には、球振り分け装置２００で振り分けられて第２誘導路２０９に誘導された遊技球が放出される第２放出口２２０が設けられている。
前飾り部品２０１は、振分部２０７並びに第１及び第２誘導路２０８，２０９を挟んで流入口２０２並びに第１及び第２壁部２０１ｂ，２０１ｃに対向配置された球受け部２０６を有している。球受け部２０６は、対向部２０１ａの裏面からベース部品２０３に向かって突出して形成されている。球受け部２０６は、第１及び第２壁部２０１ｂ，２０１ｃとほぼ同じ幅を有している。球受け部２０６は、流入口２０２の下方であってほぼ中央に設けられ、流入口２０２に向かって突出する凸部２０６ａを有している。
【００５７】
凸部２０６ａの両側の一方には、第１壁部２０１ｂに対向配置されて下方に向かって傾斜する第１傾斜板部２０６ｂが設けられ、当該両側の他方には、第２壁部２０１ｃに対向配置されて下方に向かって傾斜する第２傾斜板部２０６ｃが設けられている。凸部２０６ａは、回転体２０５の羽部材２０５ａ，２０５ｂの回転を規制するために設けられている（詳細は後述）。
【００５８】
第１傾斜板部２０６ｂは、平板形状を有し、第１誘導路２０８側に振り分けられた遊技球を受けるとともに、第１始動入賞口２６側に遊技球を転動するようになっている。また、第２傾斜板部２０６ｃは、平板形状を有し、第２誘導路２０９側に振り分けられた遊技球を受けるとともに、第２始動入賞口２８側に遊技球を転動するようになっている。第１傾斜板部２０６ｂの下流側端部の側面と、当該側面に対向する第１壁部２０１ｂの内壁面と、ベース部品２０３及び対向部２０１ａの互いに対向する対向面のうちの当該側面及び当該内壁面と同一面内の対向面とで画定された開口部が第１放出口２１８となる。第２傾斜板部２０６ｃの下流側端部の側面と、当該側面に対向する第２壁部２０１ｃの内壁面と、ベース部品２０３及び対向部２０１ａの互いに対向する対向面のうちの当該側面及び当該内壁面と同一面内の対向面とで画定された開口部が第２放出口２２０となる。
【００５９】
図８（ａ）及び図８（ｂ）に示すように、振分部２０７は、前飾り部品２０１からベース部品２０３に向かう方向において円柱形状の空間を有し、当該空間には風車形の回転体２０５が配置されている。回転体２０５は、その中心軸から放射状に等間隔で延びた３つの羽部材２０５ａ，２０５ｂ，２０５ｃを有している。回転体２０５は、電気的又はその他の動力によって駆動されるのではなく、流入口２０２から流入して羽部材２０５ａ，２０５ｂ，２０５ｃに衝突した遊技球から、回転体２０５の中心軸を回転軸として回転する方向に力を受けて回転するようになっている。
【００６０】
回転体２０５の下方には球受け部２０６に設けられた凸部２０６ａが配置されている。凸部２０６ａの頂部から回転体２０５の中心軸までの長さは、羽部材２０５ａ，２０５ｂ，２０５ｃの端部から当該中心軸までの長さよりも短くなっている。このため、羽部材２０５ａに遊技球が衝突して左回り（反時計回り）に回転した回転体２０５は、羽部材２０５ａが凸部２０６ａに接触することにより回転が規制され、同方向にそれ以上回転できないようになっている。また、羽部材２０５ｂに遊技球が衝突して右回り（時計回り）に回転した回転体２０５は、羽部材２０５ｂが凸部２０６ａに接触することにより回転が規制され、同方向にそれ以上回転できないようになっている。
【００６１】
第１誘導路２０８は、流入口２０２から流入した遊技球を受ける、第１傾斜板部２０６ｂの球受け面と、当該球受け面の左斜め上方に配置された第１壁部２０１ｂの内壁面と、ベース部品２０３及び対向部２０１ａの互いに対向する対向面とで画定された空間で構成されている。回転体２０５の羽部材２０５ａが凸部２０６ａに接触していると、第１誘導路２０８を構成する空間と、振分部２０７を構成する空間とは、遊技球が通過可能な領域を確保して連通される。これにより、球振り分け装置２００は、流入口２０２から流入して羽部材２０５ａ，２０５ｃ間に落下した遊技球を第１誘導路２０８に誘導することができる。
【００６２】
一方、第２誘導路２０９は、流入口２０２から流入した遊技球を受ける、第２傾斜板部２０６ｃの球受け面と、当該球受け面の右斜め上方に配置された第２壁部２０１ｃの内壁面と、ベース部品２０３及び対向部２０１ａの互いに対向する対向面とで画定された空間で構成されている。回転体２０５の羽部材２０５ｂが凸部２０６ａに接触していると、第２誘導路２０９を構成する空間と、振分部２０７を構成する空間とは、遊技球が通過可能な領域を確保して連通される。これにより、球振り分け装置２００は、流入口２０２から流入して羽部材２０５ｂ，２０５ｃ間に落下した遊技球を第２誘導路２０９に誘導することができる。
【００６３】
球振り分け装置２００は、実使用時に遊技領域８ａに設けられ、振分部２０７で振り分けられた遊技球を遊技盤８から離れる方向及び遊技盤８に近付く方向のうちの一の方向に規制するとともに、規制した遊技球を落下させる際に当該離れる方向及び当該近付く方向のうちの他の方向に弾いて遊技球のぶれを防止する第１及び第２球ぶれ防止部２１０，２１２を有している。本実施形態では、第１及び第２球ぶれ防止部２１０，２１２は、遊技盤８に近付く方向に遊技球を規制し、遊技盤８から離れる方向に遊技球を弾くようになっている。
また、第１及び第２球ぶれ防止部２１０，２１２は、振分部２０７で振り分けられた遊技球を遊技領域８ａの広がる平面と交差する方向に規制するとともに、規制した遊技球を規制方向とは逆方向に弾いて当該遊技球が振り分け方向にぶれるのを防止するようになっている。
【００６４】
ここで、遊技領域８ａの広がる平面には、例えば遊技盤８の盤面、被取り付け面、あるいは当該盤面や当該被取り付け面に平行な仮想面が含まれる。また、遊技領域８ａの広がる平面と交差する方向、すなわち規制方向は、本実施の形態では、遊技盤８から離れる方向及び遊技盤８に近付く方向のうちの一の方向である。当該規制方向は、遊技領域８ａの広がる平面に直交している必要はない。当該規制方向には、当該平面に平行な方向すなわち当該平面の面内方向以外の全ての方向が含まれる。当該規制方向には、例えば遊技者側に向かう方向及び遊技者側から遠ざかる方向である奥行き方向、あるいは球振り分け装置２００の厚さ方向などが含まれる。また、規制方向の逆方向は、本実施の形態では、遊技盤８から離れる方向及び遊技盤８に近付く方向のうちの他の方向である。当該逆方向は、球弾突出部（詳細は後述）の形成面（本実施形態では、ベース部品２０３の被取り付け面）から当該形成面に対向する対向面（本実施形態では前飾り部品２０１の対向部２０１ａの裏面）に向かう方向である。球弾突出部の形成面から対向面に向かう方向は、当該形成面の法線方向に限られず、当該形成面の面内方向以外の全ての方向が含まれる。
【００６５】
第１球ぶれ防止部２１０は、前飾り部品２０１に設けられた第１球規制突出部２１０ａを有している。第１球規制突出部２１０ａは、一の方向（本実施形態では、遊技盤８に近付く方向）に突出して設けられ、振り分けられた遊技球を当該一の方向に規制するようになっている。すなわち、第１球規制突出部２１０ａは、遊技領域８ａの広がる平面と交差する方向である規制方向に対向部２０１ａの裏面から突出して設けられ、振分部２０７で振り分けられた遊技球を当該規制方向に規制するようになっている。
【００６６】
第１球規制突出部２１０ａは、振分部２０７から第１誘導路２０８に跨って設けられた第１案内突起部２１３ａと、第１案内突起部２１３ａよりも下流側で、遊技盤８の盤面に平行な面内で所定の間隔で対向配置され、上流側から下流側に向かって連なる第１突起部２１３ｂとを有している。第１突起部２１３ｂは２つ設けられている。第１案内突起部２１３ａと２つの第１突起部２１３ｂ（以下、「一対の第１突起部２１３ｂ」と称する）とは一体的に同じ高さに形成されている。第１案内突起部２１３ａは、第１壁部２０１ｂの形状に倣う形状に形成され、回転体２０５の回転軸の上方から第１壁部２０１ｂの内壁面まで形成されている。一対の第１突起部２１３ｂは、第１放出口２１８上に位置する第１案内突起部２１３ａの一部から第１放出口２１８にまで向かって伸びて形成されている。第１案内突起部２１３ａ及び一対の第１突起部２１３ｂはそれぞれ、連続的に連なって形成された直方体のリブ形状を有している。
【００６７】
また、第１球ぶれ防止部２１０は、前飾り部品２０１に設けられた第１球進路変更部２１０ｃを有している。第１球進路変更部２１０ｃは、振分部２０７で振り分けられた遊技球の進行方向を遊技球が振り分けられた方向（振り分け方向）から一対の第１突起部２１３ｂの連なる方向に変更するようになっている。本実施形態における振り分け方向は、振分部２０７に対して第１及び第２誘導路２０８，２０９が配置されている方向であり、パチンコ機１の実使用状態における左右方向である。本実施形態では、第１球進路変更部２１０ｃは、振分部２０７で振り分けられた遊技球の進行方向を左側に向かう方向から一対の第１突起部２１３ｂの連なる方向に変更するようになっている。第１球進路変更部２１０ｃは、一対の第１突起部２１３ｂのうちの第１壁部２０１ｂ側に配置された突起部上であって第１案内突起部２１３ａの表面上に設けられている。図９（ａ）に示すように、第１球進路変更部２１０ｃは、対向部２０１ａと第１壁部２０１ｂとが交わる角部に設けられている。第１球進路変更部２１０ｃは、流入口２０２の開口側から見て、三角形状を有している。第１球進路変更部２１０ｃは、当該振り分け方向に対して斜めに配置されている。さらに、第１球進路変更部２１０ｃは、遊技球が遊技球の中心点を含む仮想水平面よりも上方に位置する表面で衝突するように配置されている。このため、第１球進路変更部２１０ｃは、第１誘導路２０８を通過して衝突した遊技球に一対の第１突起部２１３ｂの連なる方向に力を与えることができる。これにより、第１球進路変更部２１０ｃは、振り分け方向から一対の第１突起部２１３ｂの連なる方向に遊技球の進路を変更できる。
【００６８】
図７及び図８に示すように、第１球ぶれ防止部２１０は、ベース部品２０３に設けられた第１球弾突出部２１０ｂを有している。第１球弾突出部２１０ｂは、遊技盤８から離れる方向及び遊技盤８に近付く方向のうちの他の方向に突出してベース部品２０３の被取り付け面に設けられ、第１球規制突起部２１０ａで規制した遊技球を当該他の方向に弾くようになっている。すなわち、第１球弾突出部２１０ｂは、規制方向とは逆方向に突出して設けられ、第１球規制突出部２１０ａで規制された遊技球を当該逆方向に弾いて遊技球の落下速度を減速するようになっている。第１球弾突出部２１０ｂは、遊技盤８の盤面をその法線方向に見て、一対の第１突起部２１３ｂの間であって一対の第１突起部２１３ｂの下流側端部の直下に配置されている。ここで、当該直下に配置は、遊技球１個分よりも離れていない下流側に配置されていることを意味している。第１球ぶれ防止部２１０を構成する第１球規制突出部２１０ａ、第１球弾突出部２１０ｂ及び第１球進路変更部２１０ｃのうち、第１球規制突出部２１０ａ及び第１球進路変更部２１０ｃは第１誘導路２０８内に配置され、第１球弾突出部２１０ｂは第１誘導路２０８外に配置されている。このように、第１球ぶれ防止部２１０は、第１誘導路２０８内に少なくとも一部が配置されている。
【００６９】
第１球弾突出部２１０ｂは、第１入賞補助部２１４を構成する中央側突出部２１４ｂ（詳細は後述）の上流側に設けられている。本実施形態では、第１球弾突出部２１０ｂと中央側突出部２１４ｂとは一体的に形成されており、中央側突出部２１４ｂの上流側端部が第１球弾突出部２１０ｂを兼ねている。
【００７０】
詳細は後述するが、流入口２０２に流入して回転体２０５の羽部材２０５ａ，２０５ｃ間に落下した遊技球は、振分部２０７の空間に位置する第１案内突起部２１３ａにより、当該空間に位置するベース部品２０３の表面に転動可能な程度に押さえ付けられながら規制されて第１誘導路２０８に誘導される。第１誘導路２０８に誘導された遊技球は、第１誘導路２０８の空間に位置する第１案内突起部２１３ａにより、当該空間に位置するベース部品２０３の表面に転動可能な程度に押さえ付けられながら規制されて第１誘導路２０８を通過して第１放出口２１８上まで到達する。第１放出口２１８上まで到達した遊技球は、第１球進路変更部２１０ｃにより、進行方向が左向きから一対の第１突起部２１３ｂの連なる方向に変更されるとともに自由落下により第１放出口２１８から放出される。遊技球は、落下する際に、一対の第１突起部２１３ｂにより、ベース部品２０３の表面に自由落下が可能な程度に押さえ付けられる。このように、第１案内突起部２１３ａ及び一対の第１突起部２１３ｂを備えた第１球規制突出部２１０ａ及び第１球進路変更部２１０ｃは、流入口２０２から流入して第１誘導路２０８側に振り分けられた遊技球をベース部品２０３の表面側に押さえ付けるように規制した状態で第１放出口２１８に導くことができる。これにより、第１球規制突出部２１０ａ及び第１球進路変更部２１０ｃは、遊技球の進行方向に対して左右方向（振り分け方向）のぶれを低減できる。また、遊技球は一対の第１突起部２１３ｂにより左右方向のぶれも低減される。さらに、第１放出口２１８から放出された遊技球は、ベース部品２０３側に規制されているので、第１放出口２１８近傍に設けられた第１球弾突出部２１０ｂに確実に衝突して規制方向（遊技盤８に近付く方向）とは逆方向（遊技盤８から離れる方向）、すなわち対向部２０１ａに向かって弾かれる。第１球弾突出部２１０ｂで弾かれた遊技球は落下速度が減速するとともに、一対の第１突起部２１３ｂで捉えられる。これにより、遊技球の振り分け方向のぶれがさらに低減されるので、球振り分け装置２００における遊技球の暴れは防止される。
【００７１】
球振り分け装置２００と第１始動入賞口２６との間には、第１入賞補助部２１４（入賞通過補助部の一例）が設けられている。第１入賞補助部２１４は、球振り分け装置２００で振り分けられて第１誘導路２０８に誘導された遊技球が放出される第１放出口２１８の下流に設けられている。第１入賞補助部２１４は、第１球ぶれ防止部２１０から放出された遊技球が第１始動入賞口２６に入賞しない確率よりも入賞する確率の方が高くなるように、遊技球の入賞を補助するようになっている。
【００７２】
第１入賞補助部２１４は、第１球ぶれ防止部２１０で弾かれて第１放出口２１８から放出された遊技球が通過する通過経路の両端辺で、遊技盤８から離れる方向及び遊技盤８に近付く方向のうちの一の方向（遊技盤８に近付く方向であって規制方向）に突出して対向配置され、第１始動入賞口２６に向かって連なる一対の第１端辺側突出部２１４ａを有している。また、第１入賞補助部２１４は、一対の第１端辺側突出部２１４ａの間の当該通過経路内で、遊技盤８から離れる方向及び遊技盤８に近付く方向のうちの他の方向（遊技盤８から離れる方向であって当該規制方向と逆方向）に突出して配置され、第１始動入賞口２６に向かって連なる第１中央側突出部２１４ｂを有している。一対の第１端辺側突出部２１４ａは、第１球規制突出部２１０ａが形成された形成面から突出して形成されている。第１中央側突出部２１４ｂは、第１球弾突出部２１０ｂが形成された形成面から突出して形成されている。一対の第１端辺側突出部２１４ａは、第１球弾突出部２１０ｂに衝突して弾かれた遊技球が通過する通過経路の両端辺に対向配置され、第１始動入賞口２６に向かって連なって形成されている。本実施の形態では、一対の第１端辺側突出部２１４ａはそれぞれ、連続的に連なって形成された直方体のリブ形状を有している。一対の第１端辺側突出部２１４ａの間隔は遊技球の直径よりも長くなっている。一対の第１端辺側突出部２１４ａの間隔は、一対の第１端辺側突出部２１４ａの並ぶ方向に測った第１放出口２１８の幅とほぼ同じ長さに形成されている。一対の第１端辺側突出部２１４ａは、第１球規制突出部２１０ａとほぼ同じ高さに形成されている。
【００７３】
第１中央側突出部２１４ｂは、第１球弾突出部２１０ｂが形成された形成面をその法線方向に見て、一対の第１端辺側突出部２１４ａ間の通過経路内に配置され、第１始動入賞口２６に向かって連なって形成されている。第１中央側突出部２１４ｂは、連続的に連なって形成された直方体のリブ形状を有している。第１中央側突出部２１４ｂは第１球弾突出部２１０ｂと一体的に形成されている。したがって、本実施の形態では、第１球弾突出部２１０ｂと第１中央側突出部２１４ｂとは、第１放出口２１８側から第１始動入賞口２６側に向かって連続的に連なって一体的に形成された直方体のリブ形状を有している。
【００７４】
第１入賞補助部２１４の下流側であって第１始動入賞口２６の直上には、対向配置された一対の第１柱状部２１７が設けられている。一対の第１柱状部２１７は、前飾り部品２０１の裏面から突出して形成された一対の第１凸状部２１７ａと、ベース部品２０３の被取り付け面から突出して形成された一対の第１凸状部２１７ｂとを有している。前飾り部品２０１をベース部品２０３に取り付けると、一対の第１凸状部２１７ａの端面は、一対の第１凸状部２１７ｂの端面に当接されるようになっている。これにより、一対の第１柱状部２１７は、前飾り部品２０１とベース部品２０３との間に張り渡された柱形状となる。一対の第１凸状部２１７ａはそれぞれ、一対の第１端辺側突出部２１４ａの下流側端部に例えば一体的に形成されている。一対の第１柱状部２１７の対向面と、ベース部品２０３及び対向部２０１ａの互いに対向する対向面のうちの一対の第１柱状部２１７の当該対向面と同一平面内の対向面とで画定された開口部が第１流出口２２２となる。一対の第１柱状部２１７の間隔及び一対の第１柱状部２１７の長さは、遊技球の直径よりも長くなっている。これにより、第１入賞補助部２１４を通過した遊技球は、第１流出口２２２を通過できるようになっている。
【００７５】
前飾り部品２０１は、一対の第１端辺側突出部２１４ａの形成された領域であって第１放出口２１８と第１流出口２２２との間に、第１放出口２１８から放出された遊技球が再び遊技領域８ａに流下できるだけの通過可能領域を有している。本実施の形態によるパチンコ機１は、第１始動入賞口２６側の当該通過可能領域に第１入賞補助部２１４を有している。第１入賞補助部２１４は、第１球弾突出部２１０ｂで弾かれた遊技球を一対の第１端辺側突出部２１４ａで捉えるとともに、一対の第１端辺側突出部２１４ａ間と第１中央側突出部２１４ｂとで遊技球を挟み込みながら第１始動入賞口２６に導くことができる。このように、第１入賞補助部２１４は、第１球ぶれ防止部２１０を通過した遊技球が当該通過可能領域から遊技領域８ａ側に流下し難くして、当該遊技球が第１始動入賞口２６に入賞しない確率よりも入賞する確率を高くすることができる。一対の第１柱状部２１７と第１始動入賞口２６に設けられた球受け部２６ｃ（詳細は後述）の入球口２６ａ側の端部との間隔は、遊技球の直径よりも短くなっている。遊技球は、一対の第１柱状部２１７と入球口２６ａ側の端部との間から遊技領域８ａに流下しない。このため、第１入賞補助部２１４から流出した遊技球は、第１始動入賞口２６の入球口２６ａに確実に入球することができる。
【００７６】
第２球ぶれ防止部２１２は、前飾り部品２０１に設けられた第２球規制突出部２１２ａを有している。第２球規制突出部２１２ａは、一の方向（本実施形態では、遊技盤８に近付く方向）に突出して設けられ、振り分けられた遊技球を当該一の方向に規制するようになっている。すなわち、第２球規制突出部２１２ａは、遊技領域８ａの広がる平面と交差する方向である規制方向に対向部２０１ａの裏面から突出して設けられ、振分部２０７で振り分けられた遊技球を当該規制方向に規制するようになっている。
【００７７】
第２球規制突出部２１２ａは、振分部２０７から第２誘導路２０９に跨って設けられた第２案内突起部２１５ａと、第２案内突起部２１５ａよりも下流側で、遊技領域８ａの広がる平面に平行な面内で所定の間隔で対向配置され、上流側から下流側に向かって連なる第２突起部２１５ｂとを有している。第２突起部２１５ｂは２つ設けられている。第２案内突起部２１５ａと２つの第２突起部２１５ｂ（以下、「一対の第２突起部２１５ｂ」と称する）とは一体的に同じ高さに形成されている。第２案内突起部２１５ａは、第２壁部２０１ｃの形状に倣う形状に形成され、回転体２０５の回転軸の上方から第２壁部２０１ｃの内壁面まで形成されている。一対の第２突起部２１５ｂは、第２放出口２２０上に位置する第２案内突起部２１５ａの一部から第２放出口２２０にまで向かって伸びて形成されている。第２案内突起部２１５ａ及び一対の第２突起部２１５ｂはそれぞれ、連続的に連なって形成された直方体のリブ形状を有している。
【００７８】
第２案内突起部２１５ａは、回転体２０５の回転軸上で第１案内突起部２１３ａと接続されている。第１及び第２案内突起部２１３ａ，２１５ａは一体的に形成されている。流入口２０２の下方であって回転体２０５の回転軸上には、第１及び第２案内突起部２１３ａ，２１５ａに跨って流入口案内突起部２１１が設けられている。流入口案内突起部２１１は振分部２０７内に設けられている。流入口案内突起部２１１は、第１及び第２案内突起部２１３ａ，２１５ａの流入口２０２側の側面上の一部に設けられている。流入口案内突起部２１１は前飾り部品２０１の対向部２０１ａの裏面から突出して形成されている。流入口案内突起部２１１は流入口２０２側から第１及び第２案内突起部２１３ａ，２１５ａに向かって徐々に高くなる楔形状に形成されている。流入口案内突起部２１１は、第１及び第２案内突起部２１３ａ，２１５ａと接触する部分で第１及び第２案内突起部２１３ａ，２１５ａとほぼ同じ高さになるように形成されている。流入口案内突起部２１１は、流入口２０２側から第１及び第２案内突起部２１３ａ，２１５ａに向かって徐々に高くなっているので、流入口２０２に流入した遊技球を遊技領域８ａ側に弾かずにベース部品２０３の被取り付け面側に導きやすくなっている。
【００７９】
また、第２球ぶれ防止部２１２は、前飾り部品２０１に設けられた第２球進路変更部２１２ｃを有している。第２球進路変更部２１２ｃは、振分部２０７で振り分けられた遊技球の進行方向を振り分け方向から一対の第２突起部２１５ｂの連なる方向に変更するようになっている。本実施形態では、第２球進路変更部２１２ｃは、振分部２０７で振り分けられた遊技球の進行方向を右側に向かう方向から一対の第２突起部２１５ｂの連なる方向に変更するようになっている。第２球進路変更部２１２ｃは、一対の第２突起部２１５ｂのうちの第２壁部２０１ｃ側に配置された突起部上であって第２案内突起部２１５ａの表面上に設けられている。図９（ａ）に示すように、第２球進路変更部２１２ｃは、対向部２０１ａと第２壁部２０１ｃとが交わる角部に設けられている。第２球進路変更部２１２ｃは、流入口２０２の開口側から見て、三角形状を有している。第２球進路変更部２１２ｃは、当該振り分け方向に対して斜めに配置されている。このため、第２球進路変更部２１２ｃは、第２誘導路２０９を通過して衝突した遊技球に一対の第２突起部２１５ｂの連なる方向に力を与える。これにより、第２球進路変更部２１２ｃは、振り分け方向から一対の第２突起部２１５ｂの連なる方向に遊技球の進路を変更できる。
【００８０】
図７及び図８に示すように、第２球ぶれ防止部２１２は、ベース部品２０３に設けられた第２球弾突出部２１２ｂを有している。第２球弾突出部２１２ｂは、遊技盤８から離れる方向及び遊技盤８に近付く方向のうちの他の方向に突出してベース部品２０３の被取り付け面に設けられ、第２球規制突起部２１２ａで規制した遊技球を当該他の方向に弾くようになっている。すなわち、第２球弾突出部２１２ｂは、規制方向とは逆方向に突出して設けられ、第２球規制突出部２１２ａで規制された遊技球を当該逆方向に弾いて遊技球の落下速度を減速するようになっている。第２球弾突出部２１２ｂは、遊技盤８の盤面をその法線方向に見て、一対の第２突起部２１５ｂの間であって一対の第２突起部２１５ｂの下流側端部の直下に配置されている。ここで、当該直下に配置は、遊技球１個分よりも離れていない下流側に配置されていることを意味している。第２球ぶれ防止部２１２を構成する第２球規制突出部２１２ａ、第２球弾突出部２１２ｂ及び第２球進路変更部２１２ｃのうち、第２球規制突出部２１２ａ及び第２球進路変更部２１２ｃは第２誘導路２０９内に配置され、第２球弾突出部２１２ｂは第２誘導路２０９外に配置されている。このように、第２球ぶれ防止部２１２は、第２誘導路２０９内に少なくとも一部が配置されている。
【００８１】
第２球弾突出部２１２ｂは、第２入賞補助部２１６を構成する第２中央側突出部２１６ｂ（詳細は後述）の上流側に設けられている。本実施形態では、第２球弾突出部２１２ｂと第２中央側突出部２１６ｂとは一体的に形成されており、第２中央側突出部２１６ｂの上流側端部が第２球弾突出部２１２ｂを兼ねている。
【００８２】
詳細は後述するが、流入口２０２に流入して回転体２０５の羽部材２０５ｂ，２０５ｃ間に落下した遊技球は、振分部２０７の空間に位置する第２案内突起部２１５ａにより、当該空間に位置するベース部品２０３の表面に転動可能な程度に押さえ付けられながら規制されて第２誘導路２０９に誘導される。第２誘導路２０９に誘導された遊技球は、第２誘導路２０９の空間に位置する第２案内突起部２１５ａにより、当該空間に位置するベース部品２０３の表面に転動可能な程度に押さえ付けられながら規制されて第２誘導路２０９を通過して第２放出口２２０上まで到達する。第２放出口２２０上まで到達した遊技球は、第２球進路変更部２１２ｃにより、進行方向が右向きから一対の第２突起部２１５ｂの連なる方向に変更されるとともに自由落下により第２放出口２２０から放出される。遊技球は、落下する際に、一対の第２突起部２１５ｂにより、ベース部品２０３の表面に自由落下が可能な程度に押さえ付けられる。このように、第２案内突起部２１５ａ及び一対の第２突起部２１５ｂを備えた第２球規制突出部２１２ａ及び第２球進路変更部２１２ｃは、流入口２０２から流入して第２誘導路２０９側に振り分けられた遊技球をベース部品２０３の表面側に押さえ付けるように規制した状態で第２放出口２２０に導くことができる。これにより、第２球規制突出部２１２ａ及び第２球進路変更部２１２ｃは、遊技球の進行方向に対して左右方向（振り分け方向）のぶれを低減できる。また、遊技球は一対の第２突起部２１５ｂにより左右方向のぶれも低減される。さらに、第２放出口２２０から放出された遊技球は、ベース部品２０３側に規制されているので、第２放出口２２０近傍に設けられた第２球弾突出部２１２ｂに確実に衝突して規制方向（遊技盤８に近付く方向）とは逆方向（遊技盤８から離れる方向）、すなわち対向部２０１ａに向かって弾かれる。第２球弾突出部２１２ｂで弾かれた遊技球は落下速度が減速するとともに、一対の第２突起部２１５ｂで捉えられる。これにより、遊技球の振り分け方向のぶれがさらに低減されるので、球振り分け装置２００における遊技球の暴れは防止される。
【００８３】
本実施形態における球振り分け装置２００の第１及び第２球ぶれ防止部２１０，２１２は、第１及び第２球規制突出部２１０ａ，２１２ａと第１及び第２球弾突出部２１０ｂ，２１２ｂとで遊技球の振り分け方向のぶれを低減できる。第１及び第２球規制突出部２１０ａ，２１２ａに備えられた一対の第１及び第２突起部２１３ａ，２１５ａは、遊技盤８の盤面上に設けられた直線状のリブ形状であるため、特許文献２に開示された従来の球振り分け装置の整流誘導路のように遊技盤の盤面の奥側に延びることによる構造上の制限がない。また、一対の第１及び第２突起部２１３ａ，２１５ａの上流側の端部から第１及び第２球弾突出部２１０ｂ，２１２ｂまでの長さは、例えば遊技球１個分（遊技球の直径）程度で足りる。このため、本実施形態における球振り分け装置２００は、当該従来の球振り分け装置よりも小型化を図ることができる。例えば、当該従来の球振り分け装置の高さは例えば４５ｍｍとなるのに対し、本実施形態における球振り分け装置２００の高さは例えば３５ｍｍとなる。
【００８４】
球振り分け装置２００と第２始動入賞口２８との間には、第２入賞補助部２１６（入賞通過補助部の一例）が設けられている。第２入賞補助部２１６は、球振り分け装置２００で振り分けられて第２誘導路２０９に誘導された遊技球が放出される第２放出口２２０の下流に設けられている。第２入賞補助部２１６は、第２球ぶれ防止部２１２から放出された遊技球が第２始動入賞口２８に入賞しない確率よりも入賞する確率の方が高くなるように、遊技球の入賞を補助するようになっている。
【００８５】
第２入賞補助部２１６は、第２球ぶれ防止部２１２で弾かれて第２放出口２２０から放出された遊技球が通過する通過経路の両端辺で、遊技盤８から離れる方向及び遊技盤８に近付く方向のうちの一の方向（遊技盤８に近付く方向であって規制方向）に突出して対向配置され、第２始動入賞口２８に向かって連なる一対の第２端辺側突出部２１６ａを有している。また、第２入賞補助部２１６は、一対の第２端辺側突出部２１６ａの間の当該通過経路内で、遊技盤８から離れる方向及び遊技盤８に近付く方向のうちの他の方向（遊技盤８から離れる方向であって当該規制方向と逆方向）に突出して配置され、第２始動入賞口２８に向かって連なる第２中央側突出部２１６ｂを有している。一対の第２端辺側突出部２１６ａは、第２球規制突出部２１２ａが形成された形成面から突出して形成されている。第２中央側突出部２１６ｂは、第２球弾突出部２１２ｂが形成された形成面から突出して形成されている。一対の第２端辺側突出部２１６ａは、第２球弾突出部２１２ｂに衝突して弾かれた遊技球が通過する通過経路の両端辺に対向配置され、第２始動入賞口２８に向かって連なって形成されている。本実施の形態では、一対の第２端辺側突出部２１６ａはそれぞれ、連続的に連なって形成された直方体のリブ形状を有している。一対の第２端辺側突出部２１６ａの間隔は遊技球の直径よりも長くなっている。一対の第２端辺側突出部２１６ａの間隔は、一対の第２端辺側突出部２１６ａの並ぶ方向に測った第２放出口２２０の幅とほぼ同じ長さに形成されている。一対の第２端辺側突出部２１６ａは、第２球規制突出部２１２ａとほぼ同じ高さに形成されている。
【００８６】
第２中央側突出部２１６ｂは、第２球弾突出部２１２ｂが形成された形成面をその法線方向に見て、一対の第２端辺側突出部２１６ａ間の通過経路内に配置され、第２始動入賞口２８に向かって連なって形成されている。第２中央側突出部２１６ｂは、連続的に連なって形成された直方体のリブ形状を有している。第２中央側突出部２１６ｂは第２球弾突出部２１２ｂと一体的に形成されている。したがって、本実施の形態では、第２球弾突出部２１２ｂと第２中央側突出部２１６ｂとは、第２放出口２２０側から第２始動入賞口２８側に向かって連続的に連なって一体的に形成された直方体のリブ形状を有している。
【００８７】
第２入賞補助部２１６の下流側であって第２始動入賞口２８の直上には、対向配置された一対の第２柱状部２１９が設けられている。一対の第２柱状部２１９は、前飾り部品２０１の裏面から突出して形成された一対の第２凸状部２１９ａと、ベース部品２０３の被取り付け面から突出して形成された一対の第２凸状部２１９ｂとを有している。前飾り部品２０１をベース部品２０３に取り付けると、一対の第２凸状部２１９ａの端面は、一対の第２凸状部２１９ｂの端面に当接されるようになっている。これにより、一対の第２柱状部２１９は、前飾り部品２０１とベース部品２０３との間に張り渡された柱形状となる。一対の第２凸状部２１９ａはそれぞれ、一対の第２端辺側突出部２１６ａの下流側端部に例えば一体的に形成されている。一対の第２柱状部２１９の対向面と、ベース部品２０３及び対向部２０１ａの互いに対向する対向面のうちの一対の第２柱状部２１９の当該対向面と同一平面内の対向面とで画定された開口部が第２流出口２２４となる。一対の第２柱状部２１９の間隔及び一対の第２柱状部２１９の長さは、遊技球の直径よりも長くなっている。これにより、第２入賞補助部２１６を通過した遊技球は、第２流出口２２４を通過できるようになっている。
【００８８】
前飾り部品２０１は、一対の第２端辺側突出部２１６ａの形成された領域であって第２放出口２２０と第２流出口２２４との間に、第２放出口２２０から放出された遊技球が再び遊技領域８ａに流下できるだけの通過可能領域を有している。本実施の形態によるパチンコ機１は、第２始動入賞口２８側の当該通過可能領域に第２入賞補助部２１６を有している。第２入賞補助部２１６は、第２球弾突出部２１２ｂで弾かれた遊技球を一対の第２端辺側突出部２１６ａで捉えるとともに、一対の第２端辺側突出部２１６ａ間と第２中央側突出部２１６ｂとで遊技球を挟み込みながら第２始動入賞口２８に導くことができる。このように、第２入賞補助部２１６は、第２球ぶれ防止部２１２を通過した遊技球が当該通過可能領域から遊技領域８ａ側に流下し難くして、当該遊技球が第２始動入賞口２８に入賞しない確率よりも入賞する確率を高くすることができる。一対の第２柱状部２１９と、第２始動入賞口２８に設けられて閉状態の一対の可動片２８ｂの端部との間隔は、遊技球の直径よりも短くなっている。遊技球は、一対の第２柱状部２１９と閉状態の一対の可動片２８ｂの端部との間から遊技領域８ａに流下しない。このため、一対の可動片２８ｂが閉状態の際に、第２入賞補助部２１６から流出した遊技球は、第２始動入賞口２８の入球口２８ａに確実に入球することができる。
【００８９】
第１球規制突出部２１０ａ（第１案内突起部２１３ａ及び一対の第１突起部２１３ｂ）及び第２球規制突出部２１２ａ（第２案内突起部２１５ａ及び一対の第２突起部２１５ｂ）のそれぞれは、遊技球の半径よりも低い高さに形成されている。第１及び第２球弾突出部２１０ｂ，２１２ｂのそれぞれは、遊技球の半径よりも低い高さに形成されている。一対の第１及び第２端辺側突出部２１４ａ，２１６ａ並びに第１及び第２中央側突出部２１４ｂ，２１６ｂのそれぞれは、遊技球の半径よりも低い高さに形成されている。
【００９０】
第１及び第２球規制突出部２１０ａ，２１２ａのそれぞれの高さは、一対の第１及び第２端辺側突出部２１４ａ，２１６ａのそれぞれの高さと同じ高さに設定されている。また、第１及び第２球弾突出部２１０ｂ，２１２ｂ並びに第１及び第２中央側突出部２１４ｂ，２１６ｂの高さは、一対の第１及び第２端辺側突出部２１４ａ，２１６ａのそれぞれの高さよりも低くなるように設定されている。第１及び第２中央側突出部２１４ｂ，２１６ｂの当該高さを相対的に低く設定すると、第１及び第２中央側突出部２１４ｂ，２１６ｂの頂部とベース部品２０３の被取り付け面との段差が低減する。これにより、パチンコ機１は、遊技球が第１及び第２中央側突出部２１４ｂ，２１６ｂの下流側端部を通過してベース部品２０３側に近付く際の当該遊技球の奥行き方向のぶれを小さくすることができる。
なお、第１及び第２球弾突出部２１０ｂ，２１２ｂのそれぞれの高さは、第１及び第２中央側突出部２１４ｂ，２１６ｂの高さよりも高く設定され、例えば一対の第１及び第２端辺側突出部２１４ａ，２１６ａの高さと同じ高さに設定されていてもよい。
【００９１】
第１始動入賞口２６に設けられた球受け部２６ｃは、ベース部品２０３の被取り付け面に対向する装飾部材２５０の対向面に形成されてＵ字形状の断面を有している。第２始動入賞口２８が配置されていない側の球受け部２６ｃの側面には、取り付け部材２６ｅが形成されている。詳細は後述するが、取り付け部材２６ｅは、装飾部材２５０及び球受け部２６ｃ、２８ｄをベース部品２０３に取り付けるために用いられる。球受け部２６ｃをベース部品２０３に取り付けた場合に球受け部２６ｃの内側に位置するベース部品２０３の領域には、入球口２６ａに入球した遊技球を遊技盤８の裏面側に回収させる貫通穴２６ｂが形成されている。球受け部２６ｃの底部内側及び装飾部材２５０の当該対向面には、案内突起部２６ｄが形成されている。案内突起部２６ｄは、球受け部２６ｃの底部内側及び装飾部材２５０の当該対向面に跨って形成されている。図９（ｃ）に示すように、案内突起部２６ｄの頂部は、球受け部２６ｃの底部内側及び装飾部材２５０の当該対向面に対して円弧状の凹形状を有している。案内突起部２６ｄは、頂部が円弧上の凹形状に形成されているので、入球口２６ａから入球した遊技球を円滑に貫通穴２６ｂに導くことができる。
【００９２】
第２始動入賞口２８に設けられた球受け部２８ｄは、ベース部品２０３の被取り付け面に対向する装飾部材２５０の対向面に形成されて一対の可動片２８ｂを収容できる大きさを有している。球受け部２８ｄをベース部品２０３に取り付けた場合に一対の可動片２８ｂの間に位置するベース部品２０３の領域には、入球口２８ａに入球した遊技球を遊技盤８の裏面側に回収させる貫通穴２８ｃが形成されている。ベース部品２０３の被取り付け面に対向し、一対の可動片２８ｂ間の装飾部材２５０の対向面及び球受け部２８ｄの底部内側には、案内突起部２８ｅが形成されている。案内突起部２８ｅは、球受け部２８ｄの底部内側及び装飾部材２５０の当該対向面に跨って形成されている。案内突起部２８ｅの頂部は、球受け部２８ｄの底部内側及び装飾部材２５０の当該対向面に対して円弧状の凹形状を有している。案内突起部２８ｅは案内突起部２６ｄとほぼ同じ形状に形成されている。案内突起部２８ｅは、頂部が円弧上の凹形状に形成されているので、入球口２８ａから入球した遊技球を円滑に貫通穴２８ｃに導くことができる。
【００９３】
取り付け部材２６ｅ内の下方に設けられたねじ穴２６ｅ１と、球受け部２８ｄ内の下方に設けられたねじ穴２８ｄ１，２８ｄ２とを用いて、球受け部２６ｃ，２８ｄ及び取り付け部材２６ｅは、ベース部品２０３に固定されている。球受け部２６ｃ，２８ｄ及び取り付け部材２６ｅは装飾部材２５０に一体的に形成されているので、球受け部２６ｃ，２８ｄ及び取り付け部材２６ｅをベース部品２０３に固定すると、装飾部材２５０もベース部品２０３に固定される。一対の可動片２８ｂは、装飾部材２５０とベース部品２０３との間で開閉自在に配置される。
【００９４】
（回転体２０５の駆動機構）
ここで、回転体２０５の駆動機構２６４について説明する。図９（ａ）に示すように、回転体２０５は、前飾り部品２０１をベース部品２０３に取り付けると、両部品２０１，２０３の間に挟み込まれるようにして配置される。このとき、回転体２０５は、ピン２６４ｃ（図９（ｂ）参照）により前飾り部品２０１及びベース部品２０３にピン接合された状態で回転自在に支持される。
【００９５】
回転体２０５には、例えば１つの羽部材２０５ｃの端部にリンクロッド（不図示）が形成されている。ベース部品２０３には挿通孔２０５ｄ（図７（ｂ）及び図８（ａ）参照）が形成されている。前飾り部品２０１及びベース部品２０３に回転体２０５が支持された状態で、このリンクロッドは、挿通孔２０５ｄ内に挿入され、回転体２０５の回転軸線に沿って奧方向（ベース部品２０３の被取り付け面の裏面側方向）に突出するようになっている。
【００９６】
球振り分け装置２００は、ベース部品２０３の背面側（ベース部品２０３の被取り付け面の裏面側）に取り付けられた収容部２６０に収容され、回転体２０５を駆動する駆動機構２６４を有している。駆動機構２６４は、当該リンクロッドの他に、梃子部材２６４ａ及びカウンタウエイト２６４ｂを組み合わせて構成されている。
【００９７】
梃子部材２６４ａは、不図示のピンによりベース部品２０３及び収容部２６０にそれぞれピン接合された状態で、例えば回転体２０５と同じ回転軸線上にて回転自在に支持される。当該ピンは、ベース部品２０３の背面側に円筒形状に形成されたピン受け部２６０ａ（図７（ｂ）及び図９（ａ）参照）と、ピン受け部２６０ａに対向配置され、収容部２６０に形成された円筒形状のピン受け部（不図示）のそれぞれの空間内に挿入されている。回転体２０５のリンクロッドが挿通孔２０５ｄを通じて後方に突出し、その突出端にて梃子部材２６４ａの一端部（短アーム）に接合されるようになっている。梃子部材２６４ａの他端部（長アーム）には、その長手方向に沿って長孔（不図示）が形成されており、この長孔内にカウンタウエイト２６４ｂの一端がスライダ接合されている。図９（ｂ）に示すように、カウンタウエイト２６４ｂもまた、ピン２６４ｃによりベース部品２０３及び収容部２６０にそれぞれピン接合され、ピン２６４ｃを軸線として回転自在に支持される。ピン２６４ｃは、ベース部品２０３の背面側に円筒形状に形成されたピン受け部２６０ｃと、ピン受け部２６０ｃに対向配置され、収容部２６０に形成された円筒形状のピン受け部２６０ｂのそれぞれの空間内に挿入されている。
【００９８】
駆動機構２６４は、回転体２０５が右回り（時計回り）又は左回り（反時計回り）のいずれかに回転し、羽部材２０５ａ，２０５ｂのいずれかが凸部２０６ａに接触して回転が規制されると、この状態で回転体２０５に節度を付与（姿勢を保持）することができる。具体的には、回転体２０５の回転が規制されると、梃子部材２６４ａが左右いずれかに傾斜した姿勢となるが、このときカウンタウエイト２６４ｂによって梃子部材２６４ａが中立姿勢（直立姿勢）に復元しようとする動きが抑えられる。これにより、回転体２０５は遊技球を振り分けた後の姿勢に保持されることになる。
駆動機構２６４による回転体２０５の姿勢の保持は、凸部２０６ａと接触していない方の羽部材２０５ａ，２０５ｂに対して遊技球の荷重が加わると解除される。すなわち駆動機構２６４は、遊技球の荷重に抗してまで回転体２０５の姿勢を保持することはないため、その振り分け動作が阻害されることはない。
【００９９】
図１０は、一対の可動片２８ｂを駆動する始動入賞口ソレノイド等を配置した状態の第１及び第２始動入賞口２６，２８及び球振り分け装置２００を示している。図１０（ａ）は、当該状態の球振り分け装置２００の平面図であり、図１０（ｂ）は、案内突起部２８ｅを含み案内突起部２８ｅに沿って球振り分け装置２００等を切断した切断面を示している。図１０（ａ）及び図１０（ｂ）に示すように、第２始動入賞口２８の背面側には、一対の可動片２８ｂの開閉を制御する始動入賞口ソレノイド５１０が設けられている。図１０（ｂ）に示すように、ベース部品２０３と始動入賞口ソレノイド５１０との間には、第２始動入賞口２８への遊技球の入賞を検出する第２始動入賞口スイッチ１５０ｂが設けられている。第２始動入賞口スイッチ１５０ｂは、遊技球の通過を検知する円筒形状の検知部１５０ｂ１と、検知部１５０ｂ１が検知した検知信号を処理する信号処理回路１５０ｂ２とを有している。検知部は、遊技球が通過できるように、遊技球の直径よりも長い直径の内壁面を有している。また、ベース部品２０３の背面側には、第１始動入賞口２６への遊技球の入賞を検出する第１始動入賞口スイッチ１５０ａが設けられている（図９（ｃ）参照）。第１始動入賞口スイッチ１５０ａは、遊技球の通過を検知する円筒形状の検知部１５０ａ１と、検知部が検知した検知信号を処理する信号処理回路１５０ａ２とを有している。検知部１５０ａ１は、遊技球が通過できるように、遊技球の直径よりも長い直径の内壁面を有している。
【０１００】
（球振り分け装置２００の動作）
次に、球振り分け装置２００及び第１及び第２入賞補助部２１４，２１６の動作について図１１から図１７を用いて説明する。図１１は、球振り分け装置２００に流入した遊技球の軌道を模式的に示す図である。図１２は、球振り分け装置２００において回転体２０５の姿勢が保持された状態を示す図であって、前飾り部品２０１の対向部２０１ａを取り除いた状態を示している。図１３は、遊技球が流入している状態の球振り分け装置２００等を示す図であって、図１３（ａ）は正面図であり、図１３（ｂ）は右側面図である。図１４は、遊技球が流入している状態の球振り分け装置２００等を示す図であって、図１４（ａ）は、図１３（ｂ）の図中に示す仮想直線Ｈ−Ｈで切断した切断面を示し、図１４（ｂ）は、図１３（ｂ）の図中に示す仮想直線Ｉ−Ｉで切断した切断面を示している。図１５は、遊技球が流入している状態の球振り分け装置２００等を示す図であって、前飾り部品２０１の対向部２０１ａを取り除いた状態の球振り分け装置２００と、装飾部材２５０を取り除いた状態の第１及び第２始動入賞口２６，２８との斜視図である。図１６は、遊技球が流入している状態の球振り分け装置２００等を示す図であって、図１６（ａ）は、図１１の図中に示す仮想直線Ｆ−Ｆで切断した切断面を示し、図１６（ｂ）は、図１１の図中に示す仮想直線Ｇ−Ｇで切断した切断面を示している。図１７は、遊技球が流入している状態の球振り分け装置２００等を示す図であって、図１３（ａ）の図中に示す仮想直線Ｊ−Ｊで切断した切断面を示している。なお、図１３から図１７では、遊技球６０１、遊技球６０２及び遊技球６０３がこの順に球振り分け装置２００に流入し、遊技球６０１は第２始動入賞口２８側に振り分けられ、遊技球６０２は第１始動入賞口２６側に振り分けられ、遊技球６０３は流入口２０２に流入している状態が図示されている。
【０１０１】
図１１に示すように、球振り分け装置２００の流入口２０２から流入した遊技球は（矢印Ｙ１）、振分部２０７に設けられた回転体２０５（図１１では不図示）によって、第１誘導路２０８側（矢印Ｙ２）及び第２誘導路２０９側（矢印Ｙ３）のいずれか一方に振り分けられる。遊技球が振り分けられる方向は、遊技球が振分部２０７に進入した際の回転体２０５の姿勢によって決定される。
【０１０２】
図１２（ａ）に示すように、回転体２０５の羽部材２０５ｂが球受け部２０６の凸部２０６ａに接触している状態で回転体２０５の姿勢が保持されているとする。当該姿勢において、羽部材２０５ｃ端部と第２壁部２０１ｃとの間の距離は、遊技球の直径よりも短くなっている。さらに、回転体２０５は、凸部２０６ａによって当該姿勢状態からさらに右回り（時計回り）に回転できなくなっている。このため、振分部２０７に進入した遊技球は、羽部材２０５ｃを越えて第２誘導路２０９側に進入できない。したがって、回転体２０５がこの姿勢を保持している際に振分部２０７に進入した遊技球は、回転体２０５の羽部材２０５ａ，２０５ｃ間に必ず落下する。回転体２０５は、遊技球の重みによって、羽部材２０５ａが凸部２０６ａに接触するまで左回り（反時計回り）に回転する。図１２（ｂ）に示すように、羽部材２０５ａが凸部２０６ａに接触した状態で回転体２０５の姿勢が保持されると、羽部材２０５ａによって遮られていた、振分部２０７を構成する空間及び第１誘導路２０８を構成する空間は、遊技球が通過可能な領域を確保して連通される。これにより、羽部材２０５ａ，２０５ｃ間に落下した遊技球は、振分部２０７から第１誘導路２０８に誘導される。
【０１０３】
図１２（ｂ）に示すように、回転体２０５の羽部材２０５ａが球受け部２０６の凸部２０６ａに接触している状態で回転体２０５の姿勢が保持されているとする。当該姿勢において、羽部材２０５ｃ端部と第１壁部２０１ｂとの間の距離は、遊技球の直径よりも短くなっている。さらに、回転体２０５は、凸部２０６ａによって当該姿勢状態からさらに左回り（反時計回り）に回転できなくなっている。このため、振分部２０７に進入した遊技球は、羽部材２０５ｃを越えて第１誘導路２０８側に進入できない。したがって、回転体２０５がこの姿勢を保持している際に振分部２０７に進入した遊技球は、回転体２０５の羽部材２０５ｂ，２０５ｃ間に必ず落下する。回転体２０５は、遊技球の重みによって、羽部材２０５ｂが凸部２０６ａに接触するまで右回り（時計回り）に回転する。図１２（ａ）に示すように、羽部材２０５ｂが凸部２０６ａに接触した状態で回転体２０５の姿勢が保持されると、羽部材２０５ｂによって遮られていた、振分部２０７を構成する空間及び第２誘導路２０９を構成する空間は、遊技球が通過可能な領域を確保して連通される。これにより、羽部材２０５ｂ，２０５ｃ間に落下した遊技球は、振分部２０７から第２誘導路２０９に誘導される。
【０１０４】
遊技領域８ａを流下する遊技球は、遊技領域８ａに設けられた障害釘や風車により誘導・案内されながら流下するので、遊技者側から見て、左右方向や奥行き方向に振れながら（暴れながら）流入口２０２に流入する。このため、球振り分け装置２００に流入した直後の遊技球は、流入口２０２近傍で暴れている。しかしながら、図１４及び図１５に示すように、振分部２０７に進入した遊技球は、まず、流入口案内突起部２１１から遊技盤８に近付く方向に徐々に規制力を受け、次いで、第１案内突起部２１３ａから遊技盤８に近付く方向に規制力を受け、振分部２０７を構成する空間に位置するベース部品２０３の表面に転動可能な程度に押さえ付けられながら振り分けられて第１誘導路２０８に誘導される。さらに、第１誘導路２０８にも第１案内突起部２１３ａが設けられている。このため、遊技球は、第１誘導路２０８内でも第１案内突起部２１３ａから遊技盤８に近付く方向に規制力を受け、ベース部品２０３の表面に転動可能な程度に押さえ付けられながら転動する。これにより、遊技球は、遊技盤８から離れる方向及び遊技盤に近付く方向（奥行き方向）のぶれが抑制される。
【０１０５】
図１６（ａ）に示すように、遊技球６０２は、第１誘導路２０８内を移動して第１放出口２１８の直上に到達すると、第１球進路変更部２１０ｃに衝突する。第１球進路変更部２１０ｃは、対向部２０１ａと第１壁部２０１ｂとが交わる角部であって、遊技球６０２が移動してくる方向（左向きの方向）に対して傾斜して設けられている。さらに、遊技球６０２は、遊技球６０２の中心点を含む仮想水平面よりも上方に位置する表面で第１球進路変更部２１０ｃと衝突する。これにより、遊技球６０２は、第１球進路変更部２１０ｃから一対の第１突起部２１３ｂの連なる方向（下方）に力が付与され、左向きの方向から一対の第１突起部２１３ｂ（図１５参照）の連なる方向に進路を変更する（図１１に示す矢印Ｙ４）。
【０１０６】
進路変更した遊技球６０２は、一対の第１突起部２１３ｂによりベース部品２０３の表面に自由落下が可能な程度に押さえ付けられながら第１放出口２１８に向かって落下する。第１放出口２１８の直下には、ベース部品２０３の当該表面から突出する第１球弾突出部２１０ｂが設けられている。遊技球６０２は、ベース部品２０３の当該表面に押さえ付けられているので、第１球弾突出部２１０ｂに衝突する。第１球弾突出部２１０ｂに衝突した遊技球６０２は、遊技盤８から離れる方向（規制方向とは逆方向）である対向部２０１ａに向かって弾かれる。遊技球６０２は、第１球弾突出部２１０ｂで弾かれることにより落下速度が減速される。さらに、遊技球６０２の弾かれた先の対向部２０１ａには一対の第１突起部２１３ｂの端部が配置されている。遊技球６０２は一対の第１突起部２１３ｂの間に向かって弾かれて一対の第１突起部２１３ｂで捉えられる。これにより、遊技球６０２の左右方向（振り分け方向）の振れ幅が短くなる。このため、遊技球６０２は、左右方向及び奥行き方向のぶれが低減された状態で、第１放出口２１８から落下して第１入賞補助部２１４に進入する。
【０１０７】
第１入賞補助部２１４に進入する遊技球６０２は、左右方向及び奥行き方向のぶれが低減されているので、図１６（ｂ）に示すように、一対の第１柱状部２１７の間であって第１流出口２２２に進入する。これにより、図１１の図中に矢印Ｙ５ａで示すように、遊技球６０２（図１１では不図示）は第１始動入賞口２６の入球口２６ａに入球する。
【０１０８】
ところが、一対の第１柱状部２１７のいずれか一方の上に落下する遊技球や、一対の第１柱状部２１７の外側に向かって落下する遊技球（図１１に示す矢印Ｙ５ｂ，５ｃ）が稀にある。しかしながら、球振り分け装置２００と第１始動入賞口２６との間には、第１入賞補助部２１４が設けられている。このため、図１１の図中の矢印Ｙ５ｂ，Ｙ５ｃで示すように、第１放出口２１８から一対の第１柱状部２１７上又は外側に向かって放出された遊技球は、第１入賞補助部２１４の一対の第１端辺側突出部２１４ａによって当該外側に向かうのが抑制され、かつ第１中央側突出部２１４ｂによって一対の第１端辺側突出部１４ａの間に自由落下が可能な程度に押し付けられる。すなわち、第１入賞補助部２１４において遊技球は、一対の第１端辺側突出部２１４ａと、第１中央側突出部２１４ｂとの三方から押さえ付けられて第１始動入賞口２６の入球口２６ａに導かれる。これにより、第１入賞補助部２１４は、第１放出口２１８から一対の第１柱状部２１７上又は外側に向かって放出された遊技球が遊技領域８ａに再び流下してしまうのを防止して第１始動入賞口２６に遊技球を導くことができる。
【０１０９】
球振り分け装置２００は、第２誘導路２０９側に振り分けた遊技球に対しても第１誘導路２０８側に振り分けた遊技球と同様に作用し、遊技者側から見て、左右方向及び奥行き方向のぶれが低減された遊技球を第２放出口２２０から放出できる（図１１に示す矢印Ｙ１→矢印Ｙ３→矢印Ｙ６の流れ）。また、第２入賞補助部２１６は、遊技球に対して第１入賞補助部２１４と同様に作用し、第２放出口２２０から放出された遊技球を第２始動入賞口２８に導くことができる（図１１に示す矢印Ｙ７ａ参照）。図１６（ｂ）に示すように、第２放出口２２０から一対の第２柱状部２１９の一方の上方に向かって遊技球６０１が落下しても、第２端辺側突出部２１６ａが一対の第２柱状部２１９の外側に向かう（図１１に示す矢印Ｙ７ｂ，７ｃ参照）のを抑制する。これにより、図１７に示すように、第２入賞補助部２１６において遊技球６０１は、一対の第２端辺側突出部２１６ａと、第２中央側突出部２１６ｂとの三方から押さえ付けられて第２始動入賞口２８の入球口２８ａに導かれる。これにより、第２入賞補助部２１６は、第２放出口２２０から一対の第２柱状部２１９上又は外側に向かって放出された遊技球が遊技領域８ａに再び流下してしまうのを防止して第２始動入賞口２８に遊技球を導くことができる。
【０１１０】
以上説明したように、本実施形態における球振り分け装置２００は、第１及び第２球規制突出部２１０ａ，２１２ａと第１及び第２球弾突出部２１０ｂ，２１２ｂとを備えた第１及び第２球ぶれ防止部２１０，２１２を有している。第１及び第２球規制突出部２１０ａ，２１２ａに備えられた一対の第１及び第２突起部２１３ｂ，２１５ｂは、一直線状に連なる例えばリブ形状であるため、構造上の制限がほとんどない。また、一対の第１及び第２突起部２１３ｂ，２１５ｂの上流側の端部から第１及び第２球弾突出部２１０ｂ，２１２ｂまでの長さは、例えば遊技球１個分（遊技球の直径）程度で足りる。このため、本実施形態によれば、球振り分け装置２００の小型化を図ることができる。また、球振り分け装置２００が小型になるので、球振り分け装置２００が遊技領域８ａ内を占める領域が小さくなる。これにより、本実施の形態によるパチンコ機１の遊技領域の設計自由度が向上する。
【０１１１】
（制御系の構成）
次に、図１から図５を参照しつつ、図１８から図２２を用いて、パチンコ機１の内部構成を説明する。
図１８は、パチンコ機１の内部構成を示すブロック図である。
図１８に示すように、パチンコ機１は、第１始動入賞口スイッチ１５０ａと、第２始動入賞口スイッチ１５０ｂと、大入賞口スイッチ１５２と、始動ゲートスイッチ１５４とを備えている。
【０１１２】
第１始動入賞口スイッチ１５０ａは、第１始動入賞口２６への遊技球の通過を検出すると、この検出を含む情報信号を、後述する主制御装置３００に出力する。
第２始動入賞口スイッチ１５０ｂは、第２始動入賞口２８への遊技球の通過を検出すると、この検出を含む情報信号を、主制御装置３００に出力する。
大入賞口スイッチ１５２は、可変入賞装置３０の大入賞口への遊技球の入球を検出すると、この検出を含む情報信号を、主制御装置３００に送信する。
【０１１３】
始動ゲートスイッチ１５４は、始動ゲート２０への遊技球の通過を検出すると、この検出を含む情報信号を、主制御装置３００に出力する。
また、図１８に示すように、パチンコ機１は、制御部として、主制御装置３００と、演出制御装置４００と、表示制御装置５００と、ランプ制御装置５０２と、効果音制御装置５０４とを備えている。
【０１１４】
主制御装置３００及び演出制御装置４００は、不正行為防止等のため、それぞれ、別々の基板に実装されている。また、主制御装置３００と演出制御装置４００との間では、主制御装置３００から演出制御装置４００への一方向にのみ、データの送信が可能となっている。
また、主制御装置３００及び演出制御装置４００は、遊技盤面上に配置されている表側動作部と接続されている。表側動作部は、制御装置（主制御装置３００及び演出制御装置４００）から入力された制御信号に応じて動作する。
【０１１５】
主制御装置３００は、主制御基板ユニット１７０（図２参照）に内蔵されている。主制御装置３００は、主制御側入力ポート３０２と、主制御側出力ポート３０４と、主制御側ＣＰＵ３０６とを備えている。
主制御側入力ポート３０２は、第１始動入賞口スイッチ１５０ａ、第２始動入賞口スイッチ１５０ｂ、大入賞口スイッチ１５２及び始動ゲートスイッチ１５４からそれぞれ出力された情報信号を、主制御側ＣＰＵ３０６に出力する。
【０１１６】
主制御側出力ポート３０４は、演出制御装置４００、第１特別図柄表示装置３４、第２特別図柄表示装置３５、普通図柄表示装置３３、遊技状態表示装置３８、賞球払出制御装置５０８、始動入賞口ソレノイド５１０及び大入賞口ソレノイド５１２のそれぞれに、制御コマンドや制御信号を出力する。なお、図１８では、第１特別図柄表示装置３４と第２特別図柄表示装置３５とをまとめて、「特別図柄表示装置３４，３５」と表している。
【０１１７】
また、主制御側出力ポート３０４は、パチンコ機１の出玉情報や異常を示す情報信号を、ホールコンピュータ５１４に出力する。
主制御側ＣＰＵ３０６は、マイクロプロセッシングユニット等から形成されており、主制御側ＲＯＭ３０８と、主制御側ＲＡＭ３１０とを備えている。主制御側ＣＰＵ３０６には、主制御装置３００へ電源供給を行うための電源回路３１２が接続されている。電源回路３１２は、電源制御ユニット１６２（図２参照）に内蔵されている。
【０１１８】
主制御側ＲＯＭ３０８には、主制御装置３００で実行されるパチンコ機１を制御するためのプログラム、遊技制御用のデータ等が記憶されている。遊技制御用のデータには、演出制御装置４００を制御するための各種制御コマンド等が含まれる。
主制御側ＲＡＭ３１０は、主制御装置３００に対する入出力データ、演算処理のためのデータ、遊技に関連する乱数カウンタを始めとする各種カウンタ、抽選結果や遊技状態を管理するフラグ等を、一時的に記憶する。
【０１１９】
また、主制御装置３００は、第１特別図柄表示装置３４、第２特別図柄表示装置３５、普通図柄表示装置３３、遊技状態表示装置３８、賞球払出制御装置５０８、始動入賞口ソレノイド５１０、大入賞口ソレノイド５１２等を、直接制御（ポート出力制御）する。
演出制御装置４００は、演出制御側入力ポート（図示せず）と、演出制御側出力ポート（図示せず）と、演出制御側ＣＰＵ（図示せず）とを備えている。
【０１２０】
演出制御側ＣＰＵは、演出制御側ＲＯＭ４０２と、演出制御側ＲＡＭ４０４を備えており、演出制御側ＲＯＭ４０２に記憶されたプログラムにしたがって処理を実行することにより、表示制御装置５００、ランプ制御装置５０２及び効果音制御装置５０４を、それぞれ制御する。
演出制御側ＲＯＭ４０２には、演出を制御するためのプログラム、各種データ等が記憶されている。
【０１２１】
演出制御側ＲＡＭ４０４には、主制御装置３００から入力された制御コマンド、演算処理を行うためのデータ等が、一時的に記憶される。
また、演出制御装置４００は、主制御装置３００から受信した制御コマンドに基づいて、実行する演出を決定する。そして、演出制御装置４００は、決定した演出に応じた演出制御コマンドを生成し、この生成した演出制御コマンドを出力することによって、表示制御装置５００、ランプ制御装置５０２及び効果音制御装置５０４を、それぞれ制御する。
【０１２２】
表示制御装置５００は、ＲＯＭ、ＲＡＭ、ＣＰＵ、画像処理用ＶＤＰ（Ｖｉｄｅｏ  Ｄｉｓｐｌａｙ  Ｐｒｏｃｅｓｓｏｒ）、入力ポート及び出力ポートを備えている。
表示制御装置５００が備えるＲＯＭには、演出表示を行うためのプログラム、各種画像データ等が記憶されている。
表示制御装置５００が備えるＲＡＭには、表示制御装置５００が備えるＣＰＵに対する入出力データや演算処理のためのデータが一時的に記憶されている。すなわち、表示制御装置５００が備えるＲＡＭは、ワークエリアやバッファメモリとして機能する。
【０１２３】
表示制御装置５００が備えるＣＰＵは、演出制御装置４００から演出制御コマンド（以下、「表示制御コマンド」と称する場合がある）を受信すると、表示制御装置５００が備えるＲＯＭに記憶されたプログラムに従って、表示制御コマンドが指定する画像データを、表示制御装置５００が備えるＲＯＭから読み出す。そして、表示制御装置５００が備えるＲＯＭから読み出した画像データを、画像処理用ＶＤＰに出力する。
【０１２４】
画像処理用ＶＤＰは、表示制御装置５００が備えるＣＰＵから出力された指示に従い、出力ポートを介して、液晶表示器４２に画像データを出力する。
ランプ制御装置５０２は、ランプ５１６の点灯、点滅、消灯等を制御する装置であり、演出制御装置４００から受信した演出制御コマンドに応じて、この受信した演出制御コマンドが指示するランプ演出に対応する制御データを、表示制御装置５００が備えるＲＯＭから読み出す。これにより、ランプ制御装置５０２は、表示制御装置５００が備えるＲＯＭから読み出した制御データに基づいて、ランプ５１６の点灯、点滅、消灯等を行う。
【０１２５】
効果音制御装置５０４は、スピーカ５４，５５，５６からの効果音の出力を制御する装置であり、演出制御装置４００から受信した演出制御コマンドに応じて、演出制御コマンドが指示する効果音演出に対応する音響データを、表示制御装置５００が備えるＲＯＭから読み出す。そして、表示制御装置５００が備えるＲＯＭから読み出した音響データを、スピーカ５４，５５，５６に出力する。
【０１２６】
（特別図柄抽選について）
次に、図１及び図１８を参照しつつ、図１９を用いて、特別図柄抽選に当選すると発生する当りの種別について説明する。
図１９は、規定されている当りの種別を示す図である。
本実施形態のパチンコ機１では、図１９に示すように、当りの種別として、「通常大当り」、「確変１大当り」、「確変２大当り」及び「小当り」の４つが規定されている。
【０１２７】
主制御装置３００は、「通常大当り」に当選した場合に、特別図柄表示装置３４，３５において、特別図柄を「通常当り図柄」で停止表示させるように表示制御を行う。
このとき、演出制御装置４００は、液晶表示器４２において、演出図柄を「通常当り図柄」で停止表示させるように表示制御を行う。
ここで、液晶表示器４２において「通常当り図柄」を停止表示させる場合、例えば、第１の表示領域Ｒ１、第２の表示領域Ｒ２、第３の表示領域Ｒ３において、「２，２，２」等の偶数の同一の数字が揃う組み合わせで、演出図柄を停止表示させる。
【０１２８】
また、「通常大当り」に当選した場合には、当り遊技におけるラウンド回数が１５回となり、当り遊技終了後の１００回の抽選（演出図柄の変動表示）において、時短状態が発生する。さらに、「通常大当り」に当選した場合には、大当り遊技の終了後の遊技状態が、低確率状態に設定される。
ここで、低確率状態とは、特別図柄抽選の当選確率が低確率（通常確率）となる遊技状態をいう。
【０１２９】
また、時短状態とは、特別図柄及び演出図柄の変動時間が短縮する遊技状態をいう。時短状態では、普通図柄抽選の当選確率が通常時の抽選確率と比較して高確率（例えば、１０倍）になるとともに、第２始動入賞口２８の開放時間が、通常時の開放時間と比較して延長される。また、時短状態では、普通図柄の変動時間が通常時と比較して短くなる。
また、主制御装置３００は、「確変１大当り」に当選した場合には、特別図柄表示装置３４，３５において、特別図柄を「確変１図柄」で停止表示させるように表示制御を行う。
【０１３０】
このとき、演出制御装置４００は、液晶表示器４２において演出図柄を「確変１図柄」で停止表示させるように表示制御を行う。
ここで、液晶表示器４２において「確変１図柄」を停止表示させる場合、例えば、第１の表示領域Ｒ１、第２の表示領域Ｒ２、第３の表示領域Ｒ３において、「１，１，１」等、奇数の同一の数字が揃う組み合わせで、演出図柄を停止表示させる。
【０１３１】
また、「確変１大当り」に当選した場合には、当り遊技におけるラウンド回数が１５回となり、当り遊技終了後において時短状態が発生する。さらに、「確変１大当り」に当選した場合には、当り遊技終了後の遊技状態が確率変動状態に設定される。
ここで、確率変動状態とは、特別図柄抽選の当選確率が低確率状態と比較して高確率（例えば、通常確率の１０倍）となる遊技状態をいう。
【０１３２】
また、主制御装置３００は、「確変２大当り」に当選した場合には、特別図柄表示装置３４，３５において、特別図柄を「確変２図柄」で停止表示させるように表示制御を行う。
このとき、演出制御装置４００は、液晶表示器４２において演出図柄を「確変２図柄」で停止表示させるように表示制御を行う。
ここで、液晶表示器４２において「確変２図柄」を停止表示させる場合、例えば、第１の表示領域Ｒ１、第２の表示領域Ｒ２、第３の表示領域Ｒ３において、「１，３，５」等、規則性のある不揃いの組み合わせで、演出図柄を停止表示させる。
【０１３３】
また、「確変２大当り」に当選した場合には、当り遊技におけるラウンド回数が２回となり、１回のラウンドの期間（大入賞口の開放時間）が「通常大当り」と比較して短く（数［ｍｓ］程度）設定される。また、「確変２大当り」に当選した場合には、当り遊技終了後において時短状態が発生せずに、当り遊技終了後の遊技状態が確率変動状態に設定される。
主制御装置３００は、「小当り」に当選した場合には、特別図柄表示装置３４，３５において特別図柄を「小当り図柄」で停止表示させるように表示制御を行う。
このとき、演出制御装置４００は、液晶表示器４２において演出図柄を「小当り図柄」で停止表示させるように表示制御を行う。
【０１３４】
ここで、液晶表示器４２において「小当り図柄」を停止表示させる場合、例えば、第１の表示領域Ｒ１、第２の表示領域Ｒ２、第３の表示領域Ｒ３において、「１，３，５」等、規則性のある不揃いの組み合わせで、演出図柄を停止表示させる。
また、「小当り」に当選した場合には、当り遊技におけるラウンド回数が２回となり、１回のラウンドの期間が「通常大当り」と比較して短く（数ｍｓ程度）設定される。また、「小当り」に当選した場合には、当り遊技終了後において時短状態が発生せずに、当り遊技終了後の遊技状態が、当り前の遊技状態と同じ遊技状態に設定される。
【０１３５】
ここで、各回のラウンドにおける大入賞口の開放動作は、所定の時間（例えば、３０［ｓ］）が経過するか、所定数（例えば、１０個等）の遊技球が入球するまで継続する。また、当り遊技における大入賞口の開放動作は、当りの種別に応じて設定されたラウンド回数だけ繰り返し行われる。
さらに、主制御装置３００は、「はずれ」の場合には、特別図柄表示装置３４，３５において、特別図柄を「はずれ図柄」で停止表示させるように表示制御を行う。
このとき、演出制御装置４００は、液晶表示器４２において演出図柄を「はずれ図柄」で停止表示させるように表示制御を行う。
【０１３６】
ここで、液晶表示器４２において「はずれ図柄」を停止表示させる場合、例えば、第１の表示領域Ｒ１、第２の表示領域Ｒ２、第３の表示領域Ｒ３において、「１，１，２」等、規則性のない不揃いの組み合わせであって「通常大当り」、「確変１大当り」及び「確変２大当り」において用いられるのとは異なる演出図柄を停止表示させる。
なお、当りの種別は、上記した種別に限られるものではなく、他の種別を備える構成としてもよい。また、上記した当りの種別を全て備える必要はなく、遊技機の特性に応じて、各当りの種別を個々に組み合わせて構成してもよい。
【０１３７】
（制御コマンドについて）
次に、図１８を参照しつつ、図２０を用いて、主制御装置３００から演出制御装置４００に出力される制御コマンドについて説明する。
図２０は、主制御装置３００から演出制御装置４００に出力される制御コマンドの構成を示す図である。
図２０に示すように、制御コマンドは、制御コマンドの分類を識別するための識別子で１バイト長のディジタルデータであるモード（ＭＯＤＥ）と、実行される制御コマンドの内容（機能）を示す１バイト長のディジタルデータであるイベント（ＥＶＥＮＴ）とから構成されている。
【０１３８】
主制御装置３００は、制御コマンドを送信する際に、ストローブ信号（ＤＵＳＴＢ）を演出制御装置４００に出力する。
具体的には、主制御装置３００は、ストローブ信号の１つ目の立ち上がりを契機として、モードデータを送信し、次いで、ストローブ信号の２つ目の立ち上がりを契機として、イベントデータを出力する。
【０１３９】
このとき、演出制御装置４００は、ストローブ信号の受信に応じて割込み処理を発生させ、この割込み処理によって、制御コマンドを演出制御側ＲＡＭ４０４に格納する。
また、主制御装置３００から演出制御装置４００に出力される制御コマンドとしては、図２０の図中の「機能」欄に示すように、状態指定コマンド、変動時間指定コマンド、図柄停止指定コマンド、当り遊技状態開始指定コマンド、当り遊技状態終了指定コマンド、デモ画面表示指定コマンド等がある。本実施形態によるパチンコ機１は、当り遊技として、大当り当選後の大当り遊技と小当り当選後の小当り遊技を実行可能に構成されている。なお、大当り遊技及び小当り遊技を「当り遊技」と総称する場合がある。
【０１４０】
状態指定コマンドは、特別図柄抽選の結果（当りの場合は当り種別）を指定するコマンドである。具体的には、状態指定コマンドは、特別図柄抽選の結果として、「通常大当り」、「確変１大当り」、「確変２大当り」、「小当り」及び「はずれ」のうちいずれかを指定する。
変動時間指定コマンドは、演出図柄の変動表示の時間（変動時間）を指定するコマンドである。本実施形態では、変動時間として、例えばｎ種類（ｎ＝６８）の変動時間（例えば、２［ｓ］、３０［ｓ］、１２０［ｓ］等）が設定されており、ｎ種類の変動時間のうち、いずれかの変動時間を指定するコマンドとなる。
【０１４１】
また、状態指定コマンド及び変動時間指定コマンドは、演出図柄の変動表示の開始時に出力される。この際、まず、状態指定コマンドが出力され、その後、変動時間指定コマンドが出力される。ここで、演出図柄の変動表示の開始時は、特別図柄の変動表示の開始時と略一致している。
図柄停止指定コマンドは、演出図柄の停止表示を指定するためのコマンドである。また、図柄停止指定コマンドは、演出図柄の停止表示時に出力される。ここで、演出図柄の停止表示時は、特別図柄の停止表示時と略一致している。
【０１４２】
当り遊技状態開始指定コマンドは、当り遊技状態の開始を指定するためのコマンドである。具体的には、当り遊技状態指定コマンドは、通常大当りの当り遊技の開始、確変１大当りの当り遊技の開始、確変２大当りの当り遊技の開始及び小当りの当り遊技の開始のうちいずれかを指定する。また、当り遊技状態開始指定コマンドは、当り遊技状態の開始時に出力される。
【０１４３】
当り遊技状態終了指定コマンドは、当り遊技状態の終了を指定するためのコマンドである。また、当り遊技状態終了指定コマンドは、当り遊技状態の終了時に出力される。
デモ画面表示指定コマンドは、デモ画面の表示を指定するためのコマンドである。また、デモ画面表示指定コマンドは、演出図柄の変動表示が行われていない状態が所定時間（例えば、３０［ｓ］）継続した状態の検出時に出力される。
【０１４４】
（遊技制御処理）
次に、図１８を参照しつつ、図２１を用いて、主制御装置３００で実行される遊技制御処理を説明する。
主制御側ＣＰＵ３０６は、マイクロプロセッシングユニット等からなり、所定の動作クロック（例えば、４［ｍｓ］）で１サイクル（例えば、２［ｍｓ］）を実行可能な遊技制御プログラムに基づいて動作し、主制御側ＲＯＭ３０８の所定領域に格納されている遊技制御プログラムを起動させて、図２１のフローチャートで示される遊技制御処理を実行する。
【０１４５】
図２１は、遊技制御処理の流れを示すフローチャートである。
遊技制御処理は、主制御側ＣＰＵ３０６において実行されると、まず、図２１に示すように、ステップＳ１００に移行する。
ステップＳ１００では、遊技者の利益に直接影響する出玉の決定等に関わる各種乱数を更新する処理である、当り決定乱数更新処理を実行する。
【０１４６】
ここで、出玉の決定等に直接関わる各種乱数としては、当りを発生させるか否かの当り抽選に用いる乱数（以下、「当り決定乱数」と称する場合がある）、当り種別決定乱数等がある。なお、当り決定乱数等更新処理では、当り決定乱数が一巡するたびに初期値を変化させることにより、当り決定乱数値を容易に予測することができないようにしている。
ステップＳ１００における処理が終了するとステップＳ１０２に移行して、演出に関わる演出制御用乱数（例えば、変動時間決定乱数等）を更新する演出制御用乱数更新処理を実行し、ステップＳ１０４に移行する。
【０１４７】
ステップＳ１０４では、主制御側入力ポート３０２を介して、各スイッチ（第１始動入賞口スイッチ１５０ａ、第２始動入賞口スイッチ１５０ｂ、大入賞口スイッチ１５２、始動ゲートスイッチ１５４）が出力した情報信号を入力する入力処理を実行し、ステップＳ１０６に移行する。
ここで、入力処理では、各スイッチが出力した情報信号の入力を検出する。そして、各スイッチが出力した情報信号の入力を検出した場合には、検出を示す情報を、主制御側ＲＡＭ３１０の所定領域に記憶する。
【０１４８】
ステップＳ１０６では、始動情報を更新する始動情報更新処理を実行し、ステップＳ１０８に移行する。
始動情報更新処理では、ステップＳ１０４の入力処理の処理結果に基づいて、第１始動入賞口スイッチ１５０ａ、第２始動入賞口スイッチ１５０ｂが出力した情報信号を入力したか否かを判定する。そして、第１始動入賞口スイッチ１５０ａ、第２始動入賞口スイッチ１５０ｂが出力した情報信号を入力したと判定した場合には、主制御側ＲＡＭ３１０の始動情報記憶領域における始動情報の記憶更新処理を実行する。
【０１４９】
ここで、本実施形態では、主制御側ＲＡＭ３１０の始動情報記憶領域は、第１始動入賞口２６に入賞して増加した始動情報を記憶する第１始動情報記憶領域と、第２始動入賞口２８に入賞して増加した始動情報を記憶する第２始動情報記憶領域とを含んでいる。第１始動情報記憶領域及び第２始動情報記憶領域は、それぞれ４つまで始動情報を記憶可能に設定されている。
【０１５０】
始動情報の記憶更新処理では、主制御側ＲＡＭ３１０の第１及び第２始動情報記憶領域における始動情報の記憶数が「４」以上であるか否かを判定する。第１始動入賞口スイッチ１５０ａが出力した情報信号を入力した場合に、第１始動情報記憶領域に記憶された始動情報の記憶数（以下、「第１始動情報記憶数」と称する）が「４」以上ではないと判定した場合、または、第２始動入賞口スイッチ１５０ｂが出力した情報信号を入力した場合に、第２始動情報記憶領域に記憶された始動情報の記憶数（以下、「第２始動情報記憶数」と称する）が「４」以上ではないと判定した場合には、当り決定乱数値、当り種別決定乱数値、変動時間決定乱数値等を、対応する乱数カウンタから取得（抽選）し、取得した各乱数値（始動情報）を、主制御側ＲＡＭ３１０の第１又は第２始動情報記憶領域における所定の記憶部に記憶する。
【０１５１】
一方、第１始動入賞口スイッチ１５０ａが出力した情報信号を入力した場合に第１始動情報記憶数が「４」以上であると判定した場合、または、第２始動入賞口スイッチ１５０ｂが出力した情報信号を入力した場合に第２始動情報記憶数が「４」以上であると判定した場合には、遊技制御処理の一連の処理を終了して、元の処理に復帰する。
ステップＳ１０６の次のステップＳ１０８では、当り判定処理を実行し、ステップＳ１１０に移行する。当り判定処理については、後述する。
【０１５２】
ステップＳ１１０では、大入賞口を所定パターンで開放させる当り処理を実行し、ステップＳ１１２に移行する。
当り処理では、大入賞口を所定パターンで開放させるように、制御信号を大入賞口ソレノイド５１２に対して出力する。
また、当り処理では、当り遊技状態の開始を指定する当り遊技状態開始指定コマンドを、主制御側ＲＡＭ３１０の所定領域に格納する。これにより、後述するステップＳ１１６のポート出力処理では、当り遊技状態開始指定コマンドが、主制御側出力ポート３０４を介して演出制御装置４００に出力される。
【０１５３】
ステップＳ１１２では、賞球払出管理処理を実行し、ステップＳ１１４に移行する。賞球払出管理処理では、ステップＳ１０４の入力処理の処理結果に基づいて、第１始動入賞口スイッチ１５０ａ、第２始動入賞口スイッチ１５０ｂ、大入賞口スイッチ１５２が出力した検出信号を入力したか否かを判定する。そして、第１始動入賞口スイッチ１５０ａ、第２始動入賞口スイッチ１５０ｂ、大入賞口スイッチ１５２が出力した検出信号を入力したと判定した場合には、賞球払出制御装置５０８に賞球の払い出し動作を行わせるための制御コマンドを、主制御側ＲＡＭ３１０の所定領域に格納する。これにより、ステップＳ１１６のポート出力処理では、主制御側出力ポート３０４を介して賞球の払い出し動作を行わせるための制御コマンドが、賞球払出制御装置５０８に出力される。
【０１５４】
ステップＳ１１４では、遊技制御に関する外部情報信号をホールコンピュータ５１４に出力する外部情報出力処理を実行し、ステップＳ１１６に移行する。
ステップＳ１１６では、主制御側出力ポート３０４を介して、主制御側ＲＡＭ３１０に格納した制御コマンドを出力するポート出力処理を実行し、遊技制御処理の一連の処理を終了して、元の処理に復帰する。
【０１５５】
ポート出力処理では、演出制御装置４００に対して、制御コマンドが出力される。この際、演出制御装置４００に対しては、まず、ストローブ信号を出力し、その後、モードデータ及びイベントデータからなる制御コマンドを出力する。
また、ポート出力処理では、特別図柄表示装置３４，３５、普通図柄表示装置３３、遊技状態表示装置３８、賞球払出制御装置５０８、始動入賞口ソレノイド５１０、大入賞口ソレノイド５１２等にも、制御信号が出力される。
【０１５６】
（当り判定処理）
次に、ステップＳ１０８の当り判定処理を説明する。
図２２は、当り判定処理の流れを示すフローチャートである。
ステップＳ１０８において当り判定処理の実行が開始されると、図２２の図中に示すように、まず、ステップＳ２００に移行する。
ステップＳ２００では、液晶表示器４２において演出図柄が変動中か否かを判定し、演出図柄が変動中でないと判定した場合（Ｎｏ）は、ステップＳ２０２に移行する。一方、演出図柄が変動中であると判定した場合（Ｙｅｓ）は、ステップＳ２１４に移行する。
【０１５７】
ステップＳ２０２では、第１又は第２始動情報記憶数が「１」以上であるか否かを判定し、第１又は第２始動情報記憶数が「１」以上であると判定した場合（Ｙｅｓ）は、ステップＳ２０４に移行する。一方、第１及び第２始動情報記憶数のいずれも「１」以上でないと判定した場合（Ｎｏ）は、後述のステップＳ２０４からステップＳ２１２を実行せずに当り判定処理を終了して、元の遊技制御処理に復帰する。
【０１５８】
ステップＳ２０４では、主制御側ＲＡＭ３１０の第１又は第２始動情報記憶領域から当り決定乱数値を読み出し、ステップＳ２０６に移行する。
ステップＳ２０６では、ステップＳ２０４で読み出した当り決定乱数値が当り値と一致しているか否かを判定し、読み出した当り決定乱数値が当り値と一致していると判定した場合（Ｙｅｓ）は、ステップＳ２０８に移行する。一方、ステップＳ２０４で読み出した当り決定乱数値が当り値と一致していないと判定した場合（Ｎｏ）は、ステップＳ２１２に移行する。
【０１５９】
ここで、主制御側ＲＯＭ３０８には、当り決定乱数値と当り値との対応を登録した当り決定テーブルが格納されている。そして、当り決定テーブルに基づいて、読み出した当り決定乱数値が当り値と一致しているか否かを判定する。これにより、「当り」、「はずれ」の別が決定される。
さらに、「はずれ」であることが決定された場合には、「はずれ」に対応する状態指定コマンドを主制御側ＲＡＭ３１０の所定領域に格納する。これにより、ステップＳ１１６のポート出力処理では、状態指定コマンドが、主制御側出力ポート３０４を介して演出制御装置４００に出力される。
【０１６０】
ステップＳ２０８では、当りの種別を決定する当り種別決定処理を実行し、ステップＳ２１０に移行する。
ここで、主制御側ＲＯＭ３０８には、当り種別決定乱数値と当り種別番号との対応を登録した当り種別決定テーブルが格納されている。そして、当り種別決定処理では、始動情報の当り種別決定乱数値を読み出し、この読み出した当り種別決定乱数値に対応する当り種別番号を当り種別決定テーブルから読み出して、当りの種別を決定する。
【０１６１】
さらに、読み出した当り種別番号に対応する状態指定コマンドを、主制御側ＲＡＭ３１０の所定領域に格納する。これにより、ステップＳ１１６のポート出力処理では、状態指定コマンドが、主制御側出力ポート３０４を介して演出制御装置４００に出力される。
ステップＳ２１０では、演出図柄の変動時間を決定する当り時変動時間決定処理を実行し、当り判定処理の一連の処理を終了して、元の遊技制御処理に復帰する。
【０１６２】
ここで、主制御側ＲＯＭ３０８には、当り種別、現在の始動情報記憶数、現在の遊技状態等の組み合わせごとに設定された、複数の当り時用変動時間決定テーブルが格納されている。各当り時用変動時間決定テーブルには、変動時間決定乱数値と変動時間番号との対応が登録されている。
そして、当り時変動時間決定処理では、まず、ステップＳ２１０で決定された当り種別番号、現在の始動情報記憶数及び現在の遊技状態の組み合わせに対応する当り時用変動時間決定テーブルを読み出す。そして、始動情報の変動時間決定乱数値を読み出し、この読み出した変動時間決定乱数値に対応する変動時間番号を、当り時用変動時間決定テーブルから読み出す。これにより、演出図柄の変動時間が決定される。
【０１６３】
さらに、読み出した変動時間番号に対応する変動時間指定コマンドを主制御側ＲＡＭ３１０の所定領域に格納する。これにより、ステップＳ１１６のポート出力処理では、変動時間指定コマンドが、主制御側出力ポート３０４を介して演出制御装置４００に送信される。
また、当り時変動時間決定処理では、変動時間タイマにおいて、決定した変動時間を設定する。そして、特別図柄表示装置３４，３５において特別図柄の変動表示を開始するとともに、設定したタイマによる変動時間の計測を開始する。
【０１６４】
一方、ステップＳ２１２では、演出図柄の変動時間を決定するはずれ時変動時間決定処理を実行し、当り判定処理の一連の処理を終了して、元の遊技制御処理に復帰する。
ここで、主制御側ＲＯＭ３０８には、現在の始動情報記憶数と、現在の遊技状態等の組み合わせごとに設定された、複数のはずれ時用変動時間決定テーブルが格納されている。各はずれ時用変動時間決定テーブルには、変動時間決定乱数値と変動時間番号との対応が登録されている。
【０１６５】
そして、はずれ時変動時間決定処理では、まず、現在の始動情報記憶数及び現在の遊技状態の組み合わせに対応するはずれ時用変動時間決定テーブルを読み出す。そして、始動情報の変動時間決定乱数値を読み出し、この読み出した変動時間決定乱数値に対応する変動時間番号を、はずれ時用変動時間決定テーブルから読み出す。これにより、演出図柄の変動時間が決定される。
【０１６６】
さらに、読み出した変動時間番号に対応する変動時間指定コマンドを、主制御側ＲＡＭ３１０の所定領域に格納する。これにより、ステップＳ１１６のポート出力処理では、変動時間指定コマンドが、主制御側出力ポート３０４を介して演出制御装置４００に送信される。
また、はずれ時変動時間決定処理では、変動時間タイマにおいて、決定した変動時間を設定する。そして、特別図柄表示装置３４，３５において特別図柄の変動表示を開始するとともに、設定したタイマによる変動時間の計測を開始する。
【０１６７】
一方、ステップＳ２００の次のステップＳ２１４では、演出図柄の変動時間が経過したか否かを判定し、変動時間が経過したと判定した場合（Ｙｅｓ）は、ステップＳ２１６に移行する。一方、演出図柄の変動時間が経過していないと判定した場合（Ｎｏ）は、後述のステップＳ２１６の処理を実行せずに当り判定処理の一連の処理を終了して、元の遊技制御処理に復帰する。
【０１６８】
ステップＳ２１４では、変動時間タイマに基づいて、変動時間が経過したか否かを判定する。
ステップＳ２１６では、図柄停止指定コマンドを主制御側ＲＡＭ３１０の所定領域に格納する図柄停止処理を実行し、一連の処理を終了して、元の処理に復帰する。
これにより、ステップＳ１１６のポート出力処理では、図柄停止指定コマンドが、主制御側出力ポート３０４を介して演出制御装置４００に出力される。
【０１６９】
（動作）
以下、図１から図２２を参照して、上記の構成を備えたパチンコ機１の動作を説明する。
パチンコ機１で遊技を行う遊技者は、グリップユニット１６を操作して、遊技領域８ａに、遊技球を発射する。
そして、遊技領域８ａに発射された遊技球が始動ゲート２０を通過すると、この通過を検出した始動ゲートスイッチ１５４が、情報信号を主制御装置３００に出力する。始動ゲートスイッチ１５４が出力した情報信号の入力を受けた主制御装置３００は、普通図柄抽選を実行する。
【０１７０】
そして、普通図柄抽選に当選すると、始動入賞口ソレノイド５１０へ制御信号が出力され、閉状態の一対の可動片２８ｂが始動入賞口ソレノイド５１０により駆動されて開放状態となり、第２始動入賞口２８が閉状態から開放状態となる。
第２始動入賞口２８が開放状態となると、遊技者は、遊技球が第２始動入賞口２８へ入球するように遊技球を発射する。
【０１７１】
開放状態の第２始動入賞口２８へ遊技球が入球すると、この入球を検出した第２始動入賞口スイッチ１５０ｂが、情報信号を主制御装置３００に出力する。第２始動入賞口スイッチ１５０ｂが出力した情報信号の入力を受けた主制御装置３００は、特別図柄抽選を実行する。また、第１始動入賞口２６へ遊技球が入球すると、この入球を検出した第１始動入賞口スイッチ１５０ａが、情報信号を主制御装置３００に出力する。第１始動入賞口スイッチ１５０ａが出力した情報信号の入力を受けた主制御装置３００は、特別図柄抽選を実行する。
【０１７２】
また、遊技領域８ａ内に放り込まれた遊技球は、その流下の過程で無作為に球振り分け装置２００に流入すると、第１始動入賞口２６側及び第２始動入賞口２８側に交互に振り分けられる。第１始動入賞口２６側に振り分けられた遊技球が第１始動入賞口スイッチ１５０ａを通過したり、第２始動入賞口２８側に振り分けられた遊技球が第２始動入賞口スイッチ１５０ｂを通過したりすることに基づいて、情報信号の入力を受けた主制御装置３００は特別図柄抽選を実行する。
そして、特別図柄抽選に当選すると、大入賞口ソレノイド５１２へ制御信号が出力され、閉止状態であった開閉部材３０ａが大入賞口ソレノイド５１２により駆動されて開放状態となり、可変入賞装置３０が閉止状態から開放状態となり、当り遊技が実行される。
【０１７３】
（変形例）
次に、本実施形態の変形例による遊技機に備えられた球振り分け装置について図２３から図２５を用いて説明する。本変形例による遊技機は、球振り分け装置の構成が異なる点を除いて、図１から図２２を用いて説明した遊技機１と同様の構成を有している。本変形例における球振り分け装置は、第１及び第２球弾突出部並びに第１及び第２中央側突出部の形状が異なる点を除いて、図５から図１０に示す球振り分け装置２００と同様の構成を有し、同様の機能を発揮するようになっているので、以下、異なる点のみを簡述する。
【０１７４】
（変形例１）
図２３は、本実施形態の変形例１による遊技機に備えられた球振り分け装置２００のベース部品２０３を示す図であり、図２３（ａ）は、ベース部品２０３の正面図であり、図２３（ｂ）は、図２３（ａ）の図中に示す仮想直線Ｋ−Ｋで切断した断面図である。図２３（ａ）及び図２３（ｂ）に示すように、本変形例における第１及び第２球弾突出部２１０ｂ，２１２ｂは、山形状を有している。本変形例における第１及び第２球弾突出部２１０ｂ，２１２ｂは、第１及び第２中央側突出部２１４ｂ，２１６ｂの連なる方向に沿って切断（仮想直線Ｋ−Ｋで切断）した断面が三角形状を有している。また、本変形例における第１及び第２中央側突出部２１４ｂ，２１６ｂは、凹凸形状の頂部を備えたリブ形状を有している。第１及び第２中央側突出部２１４ｂ，２１６ｂの頂部は、第１及び第２中央側突出部２１４ｂ，２１６ｂの連なる方向に沿って切断（仮想直線Ｋ−Ｋで切断）した断面が連続する複数の三角形状を有している。本変形例では、第１及び第２球弾突出部２１０ｂ，２１２ｂの頂部は、第１及び第２中央側突出部２１４ｂ，２１６ｂの頂部の凸側とほぼ同じ高さに形成されている。第１球弾突出部２１０ｂは、第１中央側突出部２１４ｂと一体的に形成されており、第２球弾突出部２１２ｂは、第２中央側突出部２１６ｂと一体的に形成されている。
【０１７５】
本変形例における第１及び第２球弾突出部２１０ｂ，２１２ｂは、ベース部品２０３の被取り付け面から突出して形成されているので、第１及び第２誘導路２０８，２０９を通過した遊技球を遊技盤８（図２３では不図示）に近付く方向とは反対方向である遊技盤８から離れる方向に弾いて落下速度を減速できる。
【０１７６】
また、第１球弾突出部２１０ｂの頂部と、第１球弾突出部２１０ｂに隣接する第１中央側突出部２１４ｂの凸側の頂部との距離は、両頂部の間に遊技球が嵌らない長さに形成されている。また、第１中央側突出部２１４ｂの凸側の頂部のピッチは、遊技球が嵌らない長さに形成されている。同様に、第２球弾突出部２１２ｂの頂部と、第２球弾突出部２１２ｂに隣接する第２中央側突出部２１６ｂの凸側の頂部との距離は、両頂部の間に遊技球が嵌らない長さに形成されている。また、第２中央側突出部２１６ｂの凸側の頂部のピッチは、遊技球が嵌らない長さに形成されている。これにより、本変形例における第１及び第２中央側突出部２１４ｂ，２１６ｂは、自由落下が可能な程度に前飾り部品２０１（図２３では不図示）側に遊技球を押し付けることができる。
このため、当該構成の第１及び第２球弾突出部２１０ｂ，２１２ｂ並びに第１及び第２中央側突出部２１４ｂ，２１６ｂを備えた球振り分け装置２００は、上記実施の形態による球振り分け装置２００と同様の効果が得られる。
【０１７７】
（変形例２）
図２４は、本実施形態の変形例２による遊技機に備えられた球振り分け装置２００のベース部品２０３を示す図であり、図２４（ａ）は、ベース部品２０３の正面図であり、図２４（ｂ）は、図２４（ａ）の図中に示す仮想直線Ｌ−Ｌで切断した断面図である。図２４（ａ）及び図２４（ｂ）に示すように、本変形例における第１及び第２球弾突出部２１０ｂ，２１２ｂは、上流側から下流側に向かって徐々に高さが高くなり、下流側でほぼ平坦な頂部を有する台形形状を有している。また、本変形例における第１及び第２中央側突出部２１４ｂ，２１６ｂは、上流側に設けられた直方体形状の複数の突起部と、当該突起部に隣接して下流側に設けられ、当該複数の突起部の連なる方向に直交する方向に対して第１及び第２球弾突出部２１０ｂ，２１２ｂと線対称構造の台形形状の突起部とを有している。第１及び第２中央側突出部２１４ｂ，２１６ｂは、第１及び第２中央側突出部２１４ｂ，２１６ｂの連なる方向に沿って切断（仮想直線Ｌ−Ｌで切断）した、台形形状の突起部を除く断面が複数の矩形形状を有している。本変形例では、第１及び第２中央側突出部２１４ｂ，２１６ｂは、断面が矩形状の複数の突起部と台形形状の突起部とが一列に並んで連なるようになっている。本変形例では、第１及び第２球弾突出部２１０ｂ，２１２ｂの平坦な頂部は、第１及び第２中央側突出部２１４ｂ，２１６ｂの直方体形状の複数の突起部とほぼ同じ高さに形成されている。
【０１７８】
本変形例における第１及び第２球弾突出部２１０ｂ，２１２ｂは、ベース部品２０３の被取り付け面から突出して形成されているので、第１及び第２誘導路２０８，２０９を通過した遊技球を遊技盤８に近付く方向とは反対方向である遊技盤８から離れる方向とは反対方向に弾いて落下速度を減速できる。
【０１７９】
また、第１球弾突出部２１０ｂと、第１球弾突出部２１０ｂに隣接する第１中央側突出部２１４ｂの突起部との距離は、これらの間に遊技球が嵌らない長さに形成されている。また、第１中央側突出部２１４ｂの複数の突起部のピッチは、遊技球が嵌らない長さに形成されている。同様に、第２球弾突出部２１２ｂと、第２球弾突出部２１２ｂに隣接する第２中央側突出部２１６ｂの突起部との距離は、これらの間に遊技球が嵌らない長さに形成されている。また、第２中央側突出部２１６ｂの複数の突起部のピッチは、遊技球が嵌らない長さに形成されている。これにより、本変形例における第１及び第２中央側突出部２１４ｂ，２１６ｂは、自由落下が可能な程度に前飾り部品２０１（図２３では不図示）側に遊技球を押し付けることができる。
このため、当該構成の第１及び第２球弾突出部２１０ｂ，２１２ｂ並びに第１及び第２中央側突出部２１４ｂ，２１６ｂを備えた球振り分け装置２００は、上記実施の形態による球振り分け装置２００と同様の効果が得られる。
【０１８０】
（変形例３）
図２５は、本実施形態の変形例３による遊技機に備えられた球振り分け装置２００のベース部品２０３を示す図であり、図２５（ａ）は、ベース部品２０３の正面図であり、図２５（ｂ）は、図２５（ａ）の図中に示す仮想直線Ｍ−Ｍで切断した断面図である。図２５（ａ）及び図２５（ｂ）に示すように、本変形例における第１及び第２球弾突出部２１０ｂ，２１２ｂは円柱形状を有している。また、本変形例における第１及び第２中央側突出部２１４ｂ，２１６ｂは、第１及び第２球弾突出部２１０ｂ，２１２ｂとほぼ同じ円柱形状の複数の突起部を有している。本変形例では、第１及び第２中央側突出部２１４ｂ，２１６ｂは、複数の突起部が一列に並んで連なるようになっている。本変形例では、第１及び第２球弾突出部２１０ｂ，２１２ｂは、第１及び第２中央側突出部２１４ｂ，２１６ｂとほぼ同じ高さに形成されている。
【０１８１】
本変形例における第１及び第２球弾突出部２１０ｂ，２１２ｂは、ベース部品２０３の被取り付け面から突出して形成されているので、第１及び第２誘導路２０８，２０９を通過した遊技球を遊技盤８に近付く方向とは反対方向である遊技盤８から離れる方向とは反対方向に弾いて落下速度を減速できる。
【０１８２】
また、第１球弾突出部２１０ｂと、第１球弾突出部２１０ｂに隣接する第１中央側突出部２１４ｂの突起部との距離は、これらの間に遊技球が嵌らない長さに形成されている。また、第１中央側突出部２１４ｂの複数の突起部のピッチは、遊技球が嵌らない長さに形成されている。同様に、第２球弾突出部２１２ｂと、第２球弾突出部２１２ｂに隣接する第２中央側突出部２１６ｂの突起部との距離は、これらの間に遊技球が嵌らない長さに形成されている。また、第２中央側突出部２１６ｂの複数の突起部のピッチは、遊技球が嵌らない長さに形成されている。これにより、本変形例における第１及び第２中央側突出部２１４ｂ，２１６ｂは、自由落下が可能な程度に前飾り部品２０１（図２３では不図示）側に遊技球を押し付けることができる。
このため、当該構成の第１及び第２球弾突出部２１０ｂ，２１２ｂ並びに第１及び第２中央側突出部２１４ｂ，２１６ｂを備えた球振り分け装置２００は、上記実施の形態による球振り分け装置２００と同様の効果が得られる。
【０１８３】
本発明は、上記実施の形態に限らず種々の変形が可能である。
上記実施の形態では、第１及び第２球規制突出部２１０ａ，２１２ａと一対の第１及び第２端辺側突出部２１４ａ，２１６ａは遊技盤８に近付く方向に突出して形成され、第１及び第２球弾突出部２１０ｂ，２１２ｂと第１及び第２中央側突出部２１４ｂ，２１６ｂは遊技盤８から離れる方向に突出して形成されているが、本発明はこれらに限られない。第１及び第２球規制突出部２１０ａ，２１２ａ並びに一対の第１及び第２端辺側突出部２１４ａ，２１６ａと、第１及び第２球弾突出部２１０ｂ，２１２ｂ並びに第１及び第２中央側突出部２１４ｂ，２１６ｂとは、互いに逆方向に向かって突出して形成されていればよい。したがって、例えば、第１及び第２球規制突出部２１０ａ，２１２ａと一対の第１及び第２端辺側突出部２１４ａ，２１６ａは遊技盤８から離れる方向に突出して形成され、第１及び第２球弾突出部２１０ｂ，２１２ｂと第１及び第２中央側突出部２１４ｂ，２１６ｂは遊技盤８に近付く方向に突出して形成されていても、上記実施の形態による球振り分け装置２００及びそれを備えたパチンコ機１と同様の効果が得られる。
【０１８４】
上記実施の形態では、第１及び第２球規制突出部２１０ａ，２１２ａと一対の第１及び第２端辺側突出部２１４ａ，２１６ａは前飾り部品２０１に設けられ、第１及び第２球弾突出部２１０ｂ，２１２ｂと第１及び第２中央側突出部２１４ｂ，２１６ｂはベース部品２０３に設けられているが、本発明はこれに限られない。対向配置された部材の対向面のうちの一方に第１及び第２球規制突出部２１０ａ，２１２ａ並びに一対の第１及び第２端辺側突出部２１４ａ，２１６ａが設けられ、当該対向面の他方に第１及び第２球弾突出部２１０ｂ，２１２ｂ並びに第１及び第２中央側突出部２１４ｂ，２１６ｂが設けられていればよい。したがって、例えば、第１及び第２球規制突出部２１０ａ，２１２ａと一対の第１及び第２端辺側突出部２１４ａ，２１６ａがベース部品２０３に設けられ、第１及び第２球弾突出部２１０ｂ，２１２ｂと第１及び第２中央側突出部２１４ｂ，２１６ｂが前飾り部品２０１に設けられていても、上記実施の形態による球振り分け装置２００及びそれを備えたパチンコ機１と同様の効果が得られる。
【０１８５】
上記実施の形態では、第１及び第２球規制突出部２１０ａ，２１２ａは連続的に連なるリブ形状に形成されているが、本発明はこれに限られない。例えば、第１及び第２球規制突出部２１０ａ，２１２ａは、上記変形例１〜３における一対の第１及び第２端辺側突出部２１４ａ，２１６ａや第１及び第２中央側突出部２１４ｂ，２１６ｂと同様に、遊技球が嵌らないピッチで形成された、凹凸の頂部を備えたリブ形状、断面が矩形状の複数の突起部あるいは円柱形状の複数の突起部を有していてもよい。
【０１８６】
上記実施の形態によるパチンコ機１は、球振り分け装置２００と第１及び第２入賞補助部２１４，２１６とを独立して設けているが、本発明はこれに限られない。例えば、パチンコ機１は、第１及び第２入賞補助部２１４，２１６を球振り分け装置２００の一構成要素として有していてもよい。この場合、第１及び第２入賞補助部２１４，２１６の第１及び第２流出口２２２，２２４が球振り分け装置２００の第１及び第２放出口２１８，２２０を兼ねる。
【０１８７】
上記実施の形態では、球振り分け装置２００は、振り分けた遊技球を第１及び第２始動入賞口２６，２８に誘導するようになっているが、本発明はこれに限られない。球振り分け装置は、始動ゲート上に設けられ、振り分けた遊技球を始動ゲートに誘導するようになっていてもよい。
上記実施の形態では、入賞通過補助部について第１及び第２入賞補助部２１４，２１６を例にとって説明したが、本発明はこれに限られない。例えば、球振り分け装置が始動ゲートに遊技球を誘導するように構成されている場合には、入賞通過補助部は球振り分け装置の放出口と始動デートとの間に設けられていてもよい。この場合、入賞通過補助部は球振り分け装置の球ぶれ防止部を通過した遊技球が始動ゲートを通過しない確率よりも通過する確率を高くすることができる。
【０１８８】
上記実施の形態では、球振り分け装置２００は、複数の異なる方向として左右方向に遊技球を振り分けるように構成されているが、本発明はこれに限られない。例えば、球振り分け装置は、複数の異なる方向として、上下方向、上下左右方向、あるいは振分部を中心とする放射状の複数の方向に振り分けるように構成されていてもよい。また、球振り分け装置は、１つの誘導路に対して複数の流出口を備え、受け入れた遊技球を１つの誘導路に誘導し、誘導した遊技球を複数の異なる流出口のいずれか１つから流出して遊技球を複数の異なる方向に振り分けるように構成されていてもよい。
【０１８９】
本発明の範囲は、図示され記載された例示的な実施形態に限定されるものではなく、本発明が目的とするものと均等な効果をもたらすすべての実施形態をも含む。さらに、本発明の範囲は、請求項により画される発明の特徴の組み合わせに限定されるものではなく、すべての開示されたそれぞれの特徴のうち特定の特徴のあらゆる所望する組み合わせによって画されうる。
【符号の説明】
【０１９０】
１  パチンコ機
２  外枠アセンブリ
４  ガラス枠ユニット
４ａ  窓
６  皿ユニット
６ａ  シリンダ錠
６ｂ  上皿
６ｃ  下皿
６ｄ  レバー
６ｅ  ボタン
７  プラ枠アセンブリ
８  遊技盤
８ａ  遊技領域
９  統一錠ユニット
１０  球貸ボタン
１２  返却ボタン
１４  貸出操作部
１６  グリップユニット
２０  始動ゲート
２２，２４  普通入賞口
２３  励磁コイル
２６  第１始動入賞口
２６ａ，２８ａ  入球口
２６ｂ  貫通穴
２６ｃ，２８ｄ，２０６  球受け部
２６ｄ，２８ｅ  案内突起部
２６ｅ  取り付け部材
２６ｅ１，２８ｄ１，２８ｄ２  ねじ穴
２８  第２始動入賞口
２８ｂ  可動片
２８ｃ  貫通穴
３０  可変入賞装置
３０ａ  開閉部材
３２  アウト口
３３  普通図柄表示装置
３３ａ  普通図柄作動記憶ランプ
３４  第１特別図柄表示装置
３４ａ  第１特別図柄作動記憶ランプ
３５  第２特別図柄表示装置
３５ａ  第２特別図柄作動記憶ランプ
３８  遊技状態表示装置
３８ａ，３８ｂ  大当り種別表示ランプ
３８ｃ  確率変動状態表示ランプ
３８ｄ  時短状態表示ランプ
４０  演出ユニット
４０ａ  上縁部
４０ｂ，４０ｃ  装飾部品
４０ｄ  球案内通路
４０ｅ  転動ステージ
４０ｆ  球放出路
４２  液晶表示器
４５  演出切替ボタン
４６，４８  ガラス枠トップランプ
５０  ガラス枠サイドランプ
５２  皿ランプ
５４  ガラス枠上スピーカ
５５  ガラス枠中スピーカ
５６  皿スピーカ
８４  カウントスイッチ
８９  統合表示基板
１５０ａ  第１始動入賞口スイッチ
１５０ａ１，１５０ｂ１  検知部
１５０ａ２，１５０ｂ２  信号処理回路
１５０ｂ  第２始動入賞口スイッチ
１５２  大入賞口スイッチ
１５４  始動ゲートスイッチ
１６０  外部端子板
１６２  電源制御ユニット
１６４  電源コード
１６６  アース線
１７０  主制御基板ユニット
１７２  払出装置ユニット
１７２ａ  賞球タンク
１７３  流路ユニット
１７４  発射制御基板セット
１７６  払出制御基板ユニット
１７８  裏カバーユニット
２００  球振り分け装置
２０１  前飾り部品
２０１ａ  対向部
２０１ｂ  第１壁部
２０１ｃ  第２壁部
２０２  流入口
２０３  ベース部品
２０３ａ１，２０３ａ２  位置決め突起
２０３ｂ１，２０３ｂ２，２０３ｂ３，２０３ｂ４  貫通孔
２０５  回転体
２０５ａ，２０５ｂ，２０５ｃ  羽部材
２０５ｄ  挿通孔
２０６ａ  凸部
２０６ｂ  第１傾斜板部
２０６ｃ  第２傾斜板部
２０７  振分部
２０８  第１誘導路
２０９  第２誘導路
２１０  第１球ぶれ防止部
２１０ａ  第１球規制突出部
２１０ｂ  第１球弾突出部
２１０ｃ  第１球進路変更部
２１１  流入口案内突起部
２１２  第２球ぶれ防止部
２１２ａ  第２球規制突出部
２１２ｂ  第２球弾突出部
２１２ｃ  第２球進路変更部
２１３ａ  第１案内突起部
２１３ｂ  一対の第１突起部
２１４  第１入賞補助部
２１４ａ  第１端辺側突出部
２１４ｂ  第１中央側突出部
２１５ａ  第２案内突起部
２１５ｂ  一対の第２突起部
２１６  第２入賞補助部
２１６ａ  第２端辺側突出部
２１６ｂ  第２中央側突出部
２１７  一対の第１柱状部
２１７ａ，２１７ｂ  第１凸状部
２１８  第１放出口
２１９  一対の第２柱状部
２１９ａ，２１９ｂ  第２凸状部
２２０  第２放出口
２２２  第１流出口
２２４  第２流出口
２５０  装飾部材
２５０ａ  模擬装飾部
２６０  収容部
２６０ａ，２６０ｂ，２６０ｃ  ピン受け部
２６４  駆動機構
２６４ａ  梃子部材
２６４ｂ  カウンタウエイト
２６４ｃ  ピン
３００  主制御装置
３０２  主制御側入力ポート
３０４  主制御側出力ポート
３１２  電源回路
４００  演出制御装置
５００  表示制御装置
５０２  ランプ制御装置
５０４  効果音制御装置
５０８  賞球払出制御装置
５１０  始動入賞口ソレノイド
５１２  大入賞口ソレノイド
５１４  ホールコンピュータ
５１６  ランプ
６０１，６０２，６０３  遊技球
【図１】
2014121486.tif 000003
【図２】
2014121486.tif 000004
【図３】
2014121486.tif 000005
【図４】
2014121486.tif 000006
【図５】
2014121486.tif 000007
【図６】
2014121486.tif 000008
【図７】
2014121486.tif 000009
【図８】
2014121486.tif 000010
【図９】
2014121486.tif 000011
【図１０】
2014121486.tif 000012
【図１１】
2014121486.tif 000013
【図１２】
2014121486.tif 000014
【図１３】
2014121486.tif 000015
【図１４】
2014121486.tif 000016
【図１５】
2014121486.tif 000017
【図１６】
2014121486.tif 000018
【図１７】
2014121486.tif 000019
【図１８】
2014121486.tif 000020
【図１９】
2014121486.tif 000021
【図２０】
2014121486.tif 000022
【図２１】
2014121486.tif 000023
【図２２】
2014121486.tif 000024
【図２３】
2014121486.tif 000025
【図２４】
2014121486.tif 000026
【図２５】
2014121486.tif 000027
【手続補正書】
【提出日】平成25年11月7日(2013.11.7)
【手続補正１】
【補正対象書類名】特許請求の範囲
【補正対象項目名】全文
【補正方法】変更
【補正の内容】
【特許請求の範囲】
【請求項１】
発射された遊技球が流下する遊技領域を形成する遊技盤と、
前記遊技領域に設けられ、前記遊技領域を流下する遊技球が入賞する始動入賞口と、
前記遊技領域に設けられ、前記遊技領域を流下する遊技球が通過する始動ゲートと、
前記遊技領域に設けられ、前記遊技領域を流下する前記遊技球の進行方向を複数の異なる方向に振り分ける球振り分け装置と、
前記球振り分け装置において振り分けられた遊技球が前記遊技領域に誘導可能に構成された通過可能領域と
を備えた遊技機であって、
前記球振り分け装置は、
前記遊技領域を流下する遊技球を受け入れて前記複数の異なる方向に振り分ける振分部と、
前記振分部で振り分けられた遊技球を前記遊技盤から離れる方向及び前記遊技盤に近付く方向のうちの一の方向に規制するとともに、規制した遊技球を落下させる際に前記離れる方向及び前記近付く方向のうちの他の方向に誘導して前記遊技球の振り分け方向のぶれを防止する球ぶれ防止部と
を有し、
前記始動入賞口又は前記始動ゲートよりも前記通過可能領域に、前記振り分けられた遊技球が誘導され難く構成されていること
を特徴とする遊技機。
【請求項２】
前記球ぶれ防止部は、前記一の方向に突出して設けられ、振り分けた前記遊技球を前記一の方向に規制する球規制突出部と、前記他の方向に突出して設けられ、前記球規制突出部で規制した前記遊技球を前記他の方向に誘導する球弾突出部とを有すること
を特徴とする請求項１記載の遊技機。
【請求項３】
前記球規制突出部は、前記遊技盤の盤面に平行な面内で所定の間隔で対向配置され、上流側から下流側に向かって連なる突起部を２つ有していること
を特徴とする請求項２記載の遊技機。
【請求項４】
前記球弾突出部は、前記２つの突起部の間であって前記２つの突起部の下流側端部の直下に配置されていること
を特徴とする請求項３記載の遊技機。
【請求項５】
前記球ぶれ防止部は、前記遊技球が振り分けられた方向から前記２つの突起部の連なる方向に、該遊技球の進行方向を変更する球進路変更部をさらに有すること
を特徴とする請求項３又は４に記載の遊技機。
【請求項６】
前記振分部の両側の一方に設けられ、前記振分部により振り分けられた前記遊技球を始動入賞口又は始動ゲートに誘導する第１誘導路と、
前記振分部の両側の他方に設けられ、前記振分部により振り分けられた前記遊技球を始動入賞口又は始動ゲートに誘導する第２誘導路と
をさらに有し、
前記球ぶれ防止部は、前記第１誘導路及び前記第２誘導路のそれぞれに、少なくとも一部が配置されていること
を特徴とする請求項２から５までのいずれか一項に記載の遊技機。
【請求項７】
前記球ぶれ防止部を通過した遊技球が前記始動入賞口に入賞しない確率よりも入賞する確率の方が高くなり、または、前記球ぶれ防止部を通過した遊技球が前記始動ゲートを通過しない確率よりも通過する確率の方が高くなるように、該遊技球の入賞又は通過を補助する入賞通過補助部をさらに有し、
前記入賞通過補助部は、前記通過可能領域に設けられていること
を特徴とする請求項２から６までのいずれか一項に記載の遊技機。
【請求項８】
前記入賞通過補助部は、前記球ぶれ防止部から放出された遊技球が通過する通過経路の両端辺で前記一の方向に突出して対向配置され、前記始動入賞口又は前記始動ゲートに向かって連なる端辺側突出部と、前記端辺側突出部の間の前記通過経路内で前記他の方向に突出して配置され、前記始動入賞口又は前記始動ゲートに向かって連なる中央側突出部とを有すること
を特徴とする請求項７記載の遊技機。
【請求項９】
前記球弾突出部は、前記中央側突出部の上流側に設けられていること
を特徴とする請求項８記載の遊技機。
【手続補正２】
【補正対象書類名】明細書
【補正対象項目名】０００９
【補正方法】変更
【補正の内容】
【０００９】
上記目的を達成するために、本発明の一実施の形態による遊技機は、発射された遊技球が流下する遊技領域を形成する遊技盤と、前記遊技領域に設けられ、前記遊技領域を流下する遊技球が入賞する始動入賞口と、前記遊技領域に設けられ、前記遊技領域を流下する遊技球が通過する始動ゲートと、前記遊技領域に設けられ、前記遊技領域を流下する前記遊技球の進行方向を複数の異なる方向に振り分ける球振り分け装置と、前記球振り分け装置において振り分けられた遊技球が前記遊技領域に誘導可能に構成された通過可能領域とを備えた遊技機であって、前記球振り分け装置は、前記遊技領域を流下する遊技球を受け入れて前記複数の異なる方向に振り分ける振分部と、前記振分部で振り分けられた遊技球を前記遊技盤から離れる方向及び前記遊技盤に近付く方向のうちの一の方向に規制するとともに、規制した遊技球を落下させる際に前記離れる方向及び前記近付く方向のうちの他の方向に誘導して前記遊技球の振り分け方向のぶれを防止する球ぶれ防止部とを有し、前記始動入賞口又は前記始動ゲートよりも前記通過可能領域に、前記振り分けられた遊技球が誘導され難く構成されていることを特徴とする。
【手続補正３】
【補正対象書類名】明細書
【補正対象項目名】００１０
【補正方法】変更
【補正の内容】
【００１０】
また、前記球ぶれ防止部は、前記一の方向に突出して設けられ、振り分けた前記遊技球を前記一の方向に規制する球規制突出部と、前記他の方向に突出して設けられ、前記球規制突出部で規制した前記遊技球を前記他の方向に誘導する球弾突出部とを有し得る。
また、前記球規制突出部は、前記遊技盤の盤面に平行な面内で所定の間隔で対向配置され、上流側から下流側に向かって連なる突起部を２つ有し得る。
また、前記球弾突出部は、前記２つの突起部の間であって前記２つの突起部の下流側端部の直下に配置され得る。
【手続補正４】
【補正対象書類名】明細書
【補正対象項目名】００１２
【補正方法】変更
【補正の内容】
【００１２】
このような構成であれば、遊技機は、遊技球のぶれ（暴れ）を防止できる小型の球振り分け装置を有し得る。
また、上記一実施の形態による遊技機は、前記球ぶれ防止部を通過した遊技球が前記始動入賞口に入賞しない確率よりも入賞する確率の方が高くなり、または、前記球ぶれ防止部を通過した遊技球が前記始動ゲートを通過しない確率よりも通過する確率の方が高くなるように、該遊技球の入賞又は通過を補助する入賞通過補助部をさらに有し、前記入賞通過補助部は、前記通過可能領域に設けられ得る。
【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
発射された遊技球が流下する遊技領域を形成する遊技盤と、
前記遊技領域に設けられ、前記遊技領域を流下する遊技球が入賞する始動入賞口と、
前記遊技領域に設けられ、前記遊技領域を流下する遊技球が通過する始動ゲートと、
前記遊技領域に設けられ、前記遊技領域を流下する前記遊技球の進行方向を複数の異なる方向に振り分ける球振り分け装置と、
前記球振り分け装置において振り分けられた遊技球が前記遊技領域に誘導可能に構成された通過可能領域と
を備えた遊技機であって、
前記球振り分け装置は、
前記遊技領域を流下する遊技球を受け入れて前記複数の異なる方向に振り分ける振分部と、
前記振分部で振り分けられた遊技球を前記遊技盤から離れる方向及び前記遊技盤に近付く方向のうちの一の方向に規制するとともに、規制した遊技球を落下させる際に前記離れる方向及び前記近付く方向のうちの他の方向に誘導して前記遊技球の振り分け方向のぶれを防止する球ぶれ防止部と
を有し、
前記始動入賞口又は前記始動ゲートは、前記球振り分け装置の下方に設けられ、前記通過可能領域は、前記始動入賞口又は前記始動ゲートと前記球振り分け装置との間に設けられて前記球ぶれ防止部から放出された遊技球が通過する通過経路の両側に設けられており、
前記通過可能領域は、前記振分部で振り分けられて前記球ぶれ防止部から放出された遊技球が、前記始動入賞口に入賞し又は前記始動ゲートを通過するよりも前記遊技領域に再び誘導され難いように構成されていること
を特徴とする遊技機。
【請求項２】
前記球ぶれ防止部は、前記一の方向に突出して設けられ、振り分けた前記遊技球を前記一の方向に規制する球規制突出部と、前記他の方向に突出して設けられ、前記球規制突出部で規制した前記遊技球を前記他の方向に誘導する球弾突出部とを有すること
を特徴とする請求項１記載の遊技機。
【請求項３】
前記球規制突出部は、前記遊技盤の盤面に平行な面内で所定の間隔で対向配置され、上流側から下流側に向かって連なる突起部を２つ有していること
を特徴とする請求項２記載の遊技機。
【請求項４】
前記球弾突出部は、前記２つの突起部の間であって前記２つの突起部の下流側端部の直下に配置されていること
を特徴とする請求項３記載の遊技機。
【請求項５】
前記球ぶれ防止部は、前記遊技球が振り分けられた方向から前記２つの突起部の連なる方向に、該遊技球の進行方向を変更する球進路変更部をさらに有すること
を特徴とする請求項３又は４に記載の遊技機。
【請求項６】
前記振分部の両側の一方に設けられ、前記振分部により振り分けられた前記遊技球を始動入賞口又は始動ゲートに誘導する第１誘導路と、
前記振分部の両側の他方に設けられ、前記振分部により振り分けられた前記遊技球を始動入賞口又は始動ゲートに誘導する第２誘導路と
をさらに有し、
前記球ぶれ防止部は、前記第１誘導路及び前記第２誘導路のそれぞれに、少なくとも一部が配置されていること
を特徴とする請求項２から５までのいずれか一項に記載の遊技機。
【請求項７】
前記球ぶれ防止部を通過した遊技球が前記始動入賞口に入賞しない確率よりも入賞する確率の方が高くなり、または、前記球ぶれ防止部を通過した遊技球が前記始動ゲートを通過しない確率よりも通過する確率の方が高くなるように、該遊技球の入賞又は通過を補助する入賞通過補助部をさらに有し、
前記入賞通過補助部は、前記通過可能領域に設けられていること
を特徴とする請求項２から６までのいずれか一項に記載の遊技機。
【請求項８】
前記入賞通過補助部は、前記通過経路の両端辺で前記一の方向に突出して対向配置され、前記始動入賞口又は前記始動ゲートに向かって連なる端辺側突出部と、前記端辺側突出部の間の前記通過経路内で前記他の方向に突出して配置され、前記始動入賞口又は前記始動ゲートに向かって連なる中央側突出部とを有すること
を特徴とする請求項７記載の遊技機。
【請求項９】
前記球弾突出部は、前記中央側突出部の上流側に設けられていること
を特徴とする請求項８記載の遊技機。
【手続補正２】
【補正対象書類名】明細書
【補正対象項目名】０００９
【補正方法】変更
【補正の内容】
【０００９】
上記目的を達成するために、本発明の一実施の形態による遊技機は、発射された遊技球が流下する遊技領域を形成する遊技盤と、前記遊技領域に設けられ、前記遊技領域を流下する遊技球が入賞する始動入賞口と、前記遊技領域に設けられ、前記遊技領域を流下する遊技球が通過する始動ゲートと、前記遊技領域に設けられ、前記遊技領域を流下する前記遊技球の進行方向を複数の異なる方向に振り分ける球振り分け装置と、前記球振り分け装置において振り分けられた遊技球が前記遊技領域に誘導可能に構成された通過可能領域とを備えた遊技機であって、前記球振り分け装置は、前記遊技領域を流下する遊技球を受け入れて前記複数の異なる方向に振り分ける振分部と、前記振分部で振り分けられた遊技球を前記遊技盤から離れる方向及び前記遊技盤に近付く方向のうちの一の方向に規制するとともに、規制した遊技球を落下させる際に前記離れる方向及び前記近付く方向のうちの他の方向に誘導して前記遊技球の振り分け方向のぶれを防止する球ぶれ防止部とを有し、前記始動入賞口又は前記始動ゲートは、前記球振り分け装置の下方に設けられ、前記通過可能領域は、前記始動入賞口又は前記始動ゲートと前記球振り分け装置との間に設けられて前記球ぶれ防止部から放出された遊技球が通過する通過経路の両側に設けられており、前記通過可能領域は、前記振分部で振り分けられて前記球ぶれ防止部から放出された遊技球が、前記始動入賞口に入賞し又は前記始動ゲートを通過するよりも前記遊技領域に再び誘導され難いように構成されていることを特徴とする。
【手続補正３】
【補正対象書類名】明細書
【補正対象項目名】００１３
【補正方法】変更
【補正の内容】
【００１３】
また、前記入賞補助部は、前記入賞通過補助部は、前記通過経路の両端辺で前記一の方向に突出して対向配置され、前記始動入賞口又は前記始動ゲートに向かって連なる端辺側突出部と、前記端辺側突出部の間の前記通過経路内で前記他の方向に突出して配置され、前記始動入賞口又は前記始動ゲートに向かって連なる中央側突出部とを有し得る。
さらに、前記球弾突出部は、前記中央側突出部の上流側に設け得る。
このような構成であれば、遊技機の遊技領域の設計自由度の向上を図ることができる。